(57)【要約】【課題】画像間の関係づけに基づいて画像の対比を行うことが容易な画像表示装置およびプログラムを提供する。【解決手段】画像表示装置１は、所定の分類基準で分類された画像群１０１が格納される格納部１００を備える。画像群１０１に含まれる画像間にはリンク関係１０２〜１０４が定義される。読み出し部１１０は、格納部１００から画像およびリンク関係を読み出し、それぞれ表示部１３０およびレイアウト決定部１２０へ出力する。レイアウト１２０はリンク関係に基づいて、表示部１３０のディスプレイ１３１における画像のレイアウトを決定する。【選択図】        図１
2004289425.tif 000002
【特許請求の範囲】
【請求項１】
画像表示装置であって、
所定の分類基準で分類された画像群と、前記画像群に含まれる複数の画像間の関係を定義したリンク関係の情報とを格納する格納部と、
前記画像群の中から、前記リンク関係が定義されたリンク画像群と前記リンク関係とを読み出す読み出し手段と、
前記リンク画像群を表示する表示手段と、
前記表示手段における前記リンク画像群の表示レイアウトを前記リンク関係に基づいて決定するレイアウト決定手段と、
を備えることを特徴とする画像表示装置。
【請求項２】
請求項１に記載の画像表示装置において、
前記リンク関係が、前記分類基準における異なる分類に属する画像間に定義されることを特徴とする画像表示装置。
【請求項３】
請求項１に記載の画像表示装置において、
前記リンク関係が、特定画像の全体画像と部分画像との間に定義されることを特徴とする画像表示装置。
【請求項４】
請求項１に記載の画像表示装置において、
前記表示手段に表示される前記リンク画像群の変更指示を与える変更指示手段をさらに備え、
前記変更指示に応答して、前記表示手段に表示されるリンク画像群が、第１のリンク関係またはリンク関係の組によって関係づけられた第１リンク画像群から、第２のリンク関係またはリンク関係の組によって関係づけられた第２リンク画像群へと更新されることを特徴とする画像表示装置。
【請求項５】
画像表示装置を制御するコンピュータによって実行されることにより、前記画像表示装置を請求項１ないし請求項４のいずれかに記載の画像表示装置として機能させることを特徴とするプログラム。
【発明の詳細な説明】
【０００１】
【発明の属する技術分野】
本発明は、複数の画像を表示する画像表示装置に関する。
【０００２】
【従来の技術】
近年、電子技術の発展にともない、被写体を撮影してデジタル電子画像を生成するデジタルカメラが広範に用いられるようになってきている。デジタルカメラで取得されたデジタル電子画像には、表示形態を自在に変更可能であり、被写体像以外の情報を自在に付加可能であるという特徴がある。そこで、この特徴を生かした様々な機能がデジタルカメラに搭載されている。その一例として、デジタルカメラに設けられたディスプレイで構図の見本となるガイド画像を参照しながら撮影を行うことができるガイド撮影機能を備えるデジタルカメラがある。
【０００３】
一般に、このようなガイド撮影においては複数のガイド画像が準備される。例えば、中古車販売業者が販売対象の中古車の広告画像を撮影する場合には、１台の自動車を所定の複数の構図（例えば、フロント，サイドおよびリア）で撮影することが望まれるので、構図の見本となるガイド画像が複数準備されてガイド撮影が行われる。
【０００４】
このようなガイド撮影においては、取得された撮影画像とガイド画像との対応を誤認識することを防止する必要があるため、撮影画像とガイド画像との関係づけを行うことが望まれる。その１手段としては、特許文献１に示唆されているように、撮影画像にガイド画像を反映したファイル名を付加することが考えられる。
【０００５】
【特許文献１】
特開２００２−１５８９５３
【特許文献２】
特開２００２−７７６９１
【０００６】
【発明が解決しようとする課題】
しかし、従来の技術では、撮影画像とガイド画像との関係づけが可能になり、対応の誤認識を防止可能であるものの、関係づけられた画像の表示方法は考慮されていなかった。つまり、画像の撮影および記録については考慮されていたものの、記録された画像の表示方法は考慮されていなかった。このため、関係づけに基づいて簡単に画像間で対比を行うことは不可能なことが多く、可能である場合でも煩雑な操作が必要であった。例えば、関係づけに基づいて画像間で対比を行うためには、画像表示プログラムがインストールされたコンピュータシステム等を用いて、（１）関係づけられた画像を選択し、（２）当該画像を適正な大きさで表示させ、（３）表示された画像を対比可能なレイアウトに並べ替える、等の非常に煩雑な操作を行う必要があった。本発明は、これらの問題を解決するためになされたもので、画像間の関係づけに基づいて画像の対比を行うことが容易な画像表示装置およびプログラムを提供することを目的とする。
【０００７】
【課題を解決するための手段】
上記課題を解決するため、請求項１の発明は、画像表示装置であって、所定の分類基準で分類された画像群と、前記画像群に含まれる複数の画像間の関係を定義したリンク関係の情報とを格納する格納部と、前記画像群の中から、前記リンク関係が定義されたリンク画像群と前記リンク関係とを読み出す読み出し手段と、前記リンク画像群を表示する表示手段と、前記表示手段における前記リンク画像群の表示レイアウトを前記リンク関係に基づいて決定するレイアウト決定手段と、を備える。
【０００８】
また、請求項２の発明は、請求項１の発明に係る画像表示装置において、前記リンク関係が、前記分類基準における異なる分類に属する画像間に定義される。
【０００９】
また、請求項３の発明は、請求項１の発明に係る画像表示装置において、前記リンク関係が、特定画像の全体画像と部分画像との間に定義される。
【００１０】
また、請求項４の発明は、請求項１の発明に係るに画像表示装置において、前記表示手段に表示される前記リンク画像群の変更指示を与える変更指示手段をさらに備え、前記変更指示に応答して、前記表示手段に表示されるリンク画像群が、第１のリンク関係またはリンク関係の組によって関係づけられた第１リンク画像群から、第２のリンク関係またはリンク関係の組によって関係づけられた第２リンク画像群へと更新される。
【００１１】
また、請求項５の発明は、画像表示装置を制御するコンピュータによって実行されることにより、前記画像表示装置を請求項１ないし請求項４のいずれかの発明に係る画像表示装置として機能させることを特徴とするプログラムである。
【００１２】
【発明の実施の形態】
発明の実施の形態では、まず最初に、実施の形態に係る画像表示装置の主要な特徴部を一般化して説明する。しかる後に、より具体的な画像表示装置として、デジタルカメラに搭載された画像表示装置を例として説明を行う。
【００１３】
＜＜一般化した画像表示装置＞＞
図１は、一般化した画像表示装置１の機能を説明するブロック図である。以下では、画像表示装置１の機能をサブブロック別に説明する。
【００１４】
○格納部；
画像表示装置１は、画像群１０１を格納する格納部１００を備える。格納部１００には、所定の分類基準に基づいて画像群１０１が分類されて格納される。図１には、画像群ａ＝｛ａ１，ａ２，ａ３，・・・｝，画像群ｂ＝｛ｂ１，ｂ２，ｂ３，・・・｝，画像群ｃ＝｛ｃ１，ｃ２，ｃ３，・・・｝が、それぞれ分類Ａ，Ｂ，Ｃに分類された状態で格納部１００に格納されていることが模式的に示されている。画像群の分類手段としては様々な手段が考えられるが、代表的な例として、階層型のフォルダ（ディレクトリ）構造におけるフォルダを分類手段として使用することが考えられる。この場合、同一のフォルダに格納されている画像群が同一の分類に属する画像群とみなされる。もちろん、分類手段は、格納部１００の機能を実現する記憶手段を制御するシステムによって任意に変更しうるものであり、本願の請求項で特定される発明の内容を制限しない。
【００１５】
さらに、分類基準の具体的内容も制限されないが、例えば、デジタルカメラにおけるガイド撮影によって取得された、所定の複数の構図で構成される画像群ごとにフォルダを設ける態様が考えられる。より具体的に言えば、中古車販売業において販売対象の複数の中古車を所定の複数の構図（例えば、フロント，リアおよびサイド）で撮影して得られた画像群を、中古車別に作成したフォルダに分類して格納する態様が考えられる。この場合、異なる中古車に関する画像は異なるフォルダに格納される。すなわち、分類手段がフォルダであり、分類基準が中古車となっている。
【００１６】
なお、分類数が３の場合を図１で例示したが、分類数は２以下あるいは４以上でもよい。そして、分類数が１の場合も特殊な場合として本発明に包含される。
【００１７】
○リンク関係；
画像群１０１に含まれる画像間には、各画像間の関係を定義したリンク関係が必要に応じて設けられる。本実施の形態に係るリンク関係は、特定の画像αから別の特定の画像βへの参照である。換言すれば、画像αから画像βへの関係づけである。さらに換言すれば、画像αから画像βへのリンク関係が定義されているとは、画像αに関係する画像として画像βが定義されていることを意味する。なお、以下の説明においては、画像α（リンク元）から画像β（リンク先）へのリンク関係をリンク関係Ｌ（α→β）と表現する。また、上述の「必要に応じて」とは、関係づける必要がある画像間にのみリンク関係を定義することを意味する。すなわち、全ての画像間にリンク関係を定義する必要はない。具体的な例で言えば、対比して閲覧することが望まれる画像間にのみリンク関係が定義され、それ以外の画像間にはリンク関係は定義されない。
【００１８】
本実施の形態に係るリンク関係は先述の分類から独立して定義可能である。リンク関係の具体的内容も、分類基準の場合と同様に制限されないが、上述の中古車販売業の事例で言えば、異なる中古車に関する略同一の構図の画像間にリンク関係を定義可能である。すなわち、異なるフォルダに格納された略同一の構図の画像間にリンク関係を定義可能である。このようなリンク関係は、リンク関係が分類基準から独立して定義可能であるという特徴によって実現可能になる。
【００１９】
また、図１においては、画像ａ１から画像ｂ１へのリンク関係Ｌ（ａ１→ｂ１），画像ｂ２から画像ｃ２へのリンク関係Ｌ（ｂ２→ｃ２），画像ａ３から画像ｃ３へのリンク関係Ｌ（ａ３→ｃ３）が、それぞれ矢印線１０２，１０３，１０４として模式的に表現されている。
【００２０】
なお、リンク関係の記述方法としては、
（１）画像に付加して記述する方法；
（２）画像から分離して記述する方法；および
（３）（１）および（２）の中間的な方法；
の３つの方法がある。以下では、これらの方法について説明する。
【００２１】
（１）画像に付加して記述する方法；
リンク先画像を直接特定可能な情報を画像に付加する方法である。直接特定可能な情報の例としては、階層型のフォルダ構造におけるリンク先画像のパスとファイル名がある。この方法は、少数のリンク画像群を表示する画像表示装置において好適に採用される。なぜならば、リンク関係を特定するのに、少数の画像に付加されたリンク関係を参照するのみでよいので、リンク関係を特定する処理を高速化できるからである。
【００２２】
（２）画像から分離して記述する方法；
画像にはリンク先画像を特定する情報が付加されておらず、画像群のリンク関係を特定する情報（例えば、階層型のフォルダ構造における、リンク元画像およびリンク先画像のパスとファイル名を記述したデータ）を画像から分離して保持する方法である。この方法は、多数のリンク関係が関わる画像群を表示する画像処理装置において好適に採用される。なぜならば、リンク関係を個別の画像ごとに参照する必要がないので、リンク関係を特定する処理を高速化できるからである。あるいは、リンク関係に規則性がある場合にもこの方法は好適に用いられる。なぜならば、重複した情報を個々の画像に付加する必要がないからである。さらに、この方法では、リンク関係が変更されても画像に付加された情報に影響を与えないので、リンク関係が頻繁に変更される場合にも好適に採用される。
【００２３】
本方法に係るリンク関係の記述方法は制限されないが、例えば、以下の記述方法を採用可能である。すなわち、リンク元画像のパスおよびファイル名をＸ、リンク先画像のパスおよびファイル名をＹとしたとき、＜ｌｉｎｋ：ｆｒｏｍ＝”Ｘ”  ｌｉｎｋ：ｔｏ＝”Ｙ”＞とテキストで表記することによって、リンク元画像からリンク先画像へのリンク関係を記述可能である。つまり、リンク元画像およびリンク先画像のパスおよびファイル名を識別可能に表記することによってリンク関係を記述可能である。
【００２４】
（３）（１）および（２）の中間的な方法；
リンク先画像を完全には特定できない情報を画像に付加し、それを補ってリンク先画像を特定可能にする情報をリンク元画像から分離して記述する方法である。この方法は上述の２つの方法の中間的な特徴を有する。
【００２５】
（１）〜（３）の３つの方法は、画像の処理に使われるコンピュータの処理能力、コンピュータにインストールされたプログラム、リンク関係の特性に応じて適宜選択可能である。したがって、上述の説明で有利とされなかった記述方法の採用も妨げられない。
【００２６】
○読み出し部；
画像表示装置１には、画像およびリンク関係を格納部１００から読み出し可能な読み出し部１１０が設けられる。読み出された画像は表示部１３０に出力される。また、読み出されたリンク関係はレイアウト決定部１２０に出力される。
【００２７】
○レイアウト決定部；
レイアウト決定部１２０は、読み出し部１１０から入力されたリンク関係に基づいて、表示部１３０に設けられたディスプレイ１３１上の画像のレイアウト（配置、割付等）を決定する。換言すれば、レイアウト決定部１２０は、ディスプレイ１３１の画像表示領域を、表示する画像の数より多い複数の領域に分割する方法を決定するとともに、分割された各領域に表示する画像を決定する。ここで決定されたレイアウトはレイアウト情報として表示部１３０に出力される。
【００２８】
○表示部；
表示部１３０は、読み出し部１１０から入力された画像をディスプレイ１３１に視認可能に表示する。このとき、表示部１３０は、レイアウト決定部１２０から入力されたレイアウト情報に基づいてディスプレイ１３１に画像を表示する。
【００２９】
○レイアウト例（基本レイアウト）；
ディスプレイ１３１上の画像のレイアウトはリンク関係に基づいて決定される。ここでは、リンク関係から画像のレイアウトを決定する方法を、リンク関係によって直接関係づけられた画像を対比可能に表示する場合（基本レイアウト）を例として説明する。
【００３０】
ディスプレイ１３１上の画像は、リンク関係によって関係づけられた画像が対比可能なレイアウトで表示される。このようなレイアウトの１例として、リンク関係Ｌ（ｄ１→ｄ２）が定義された画像ｄ１，ｄ２を矩形のディスプレイ１３１の横方向に並べるレイアウトが考えられる（図２）。換言すれば、矩形のディスプレイ１３１の画像表示領域（ここではディスプレイ１３１の全体）を縦１行，横２列のマトリクス状の２つの領域１３１ａ，１３１ｂに分割して、領域１３１ａ，１３１ｂのそれぞれに画像ｄ１，ｄ２を表示するレイアウトが考えられる。なお、図２における点線ＤＬは、領域１３１ａ，１３１ｂの境界を明確にするために便宜的に記載したもので、実際のディスプレイ１３１には表示されない（図３，４も同様）。
【００３１】
上述のレイアウトでは、１つのリンク関係Ｌ（ｄ１→ｄ２）に関する画像対のみをディスプレイ１３１に同時表示させたが、画像の対比を妨げない限り、複数のリンク関係に関する３枚以上の画像からなる画像群をディスプレイ１３１に同時表示させることも許容される。例えば、リンク関係Ｌ（ｅ１→ｅ２），Ｌ（ｅ１→ｅ３）で関係づけられた画像群ｅ＝｛ｅ１，ｅ２，ｅ３｝を同時表示させることも許容される。ただし、同時表示させる画像が２つの場合には画像間のリンク関係（対比すべき画像対）を誤認識することは起こりにくいが、３枚以上の画像からなる画像群を同時表示させる場合は、リンク関係の誤認識を避けるためにレイアウトに配慮が必要となる。例えば、図３のように、リンク元画像ｅ１をディスプレイ１３１の左側領域に、リンク先画像ｅ２，ｅ３をディスプレイ１３１の右側領域に配置するレイアウトが考えられる。換言すれば、矩形のディスプレイ１３１の画像表示領域を縦２行，横２列のマトリクス状の４つの領域１３１ｄ〜１３１ｇに分割して、左下（２行目１列目）の領域１３１ｆを除く領域１３１ｄ，１３１ｅ，１３１ｇのそれぞれに画像ｅ１，ｅ２，ｅ３を表示させるレイアウトが考えられる。これにより、リンク関係が定義された画像対は異なる列（横方向位置）に表示されるので、画像表示装置１のユーザはリンク関係Ｌ（ｅ１→ｅ２），Ｌ（ｅ１→ｅ３）を認識可能になる。すなわち、画像ｅ１と画像ｅ２、あるいは画像ｅ１とｅ３とがディスプレイ１３１に対比可能にレイアウトされたことになる。もちろん、この方法で縦と横を入れ替えることも許容される。また、縦方向あるいは横方向を３つ以上に分割してもよい。
【００３２】
○レイアウト例（応用レイアウト）；
ここでは「リンク関係に基づいて」の概念をより拡張した応用レイアウトを説明する。基本レイアウトでは、リンク関係によって直接関係づけられた画像を同時表示させていたが、応用レイアウトでは、１つのリンク関係で直接関係づけられてはいないが、複数のリンク関係によって間接的に関係づけられた画像を同時表示させる。
【００３３】
例えば、リンク関係Ｌ（ｆ１→ｆ２），Ｌ（ｆ１→ｆ３），Ｌ（ｆ１→ｆ４）で関係づけられた画像群ｆ＝｛ｆ１，ｆ２，ｆ３，ｆ４｝を考える。このとき、画像群ｆの部分画像群ｆ’＝｛ｆ２，ｆ３，ｆ４｝を図４のようにディスプレイ１３１にレイアウトして同時表示してもよい。換言すれば、部分画像群ｆ’に関して、等価なリンク関係が定義されている場合、部分画像群ｆ’をディスプレイ１３１にレイアウトして同時表示させてもよい。図４には、矩形のディスプレイ１３１の画像表示領域を縦１行、横３列のマトリクス状の３つの領域１３１ｈ〜１３１ｊに分割して、領域１３１ｈ〜１３１ｊのそれぞれに画像ｆ２〜ｆ４を表示するレイアウトが示されている。これは、リンク関係Ｌ（ｆ１→ｆ２），Ｌ（ｆ１→ｆ３），Ｌ（ｆ１→ｆ４）の対称性を利用したものであり、先述した「リンク関係Ｌに基づいて」とは、このようなリンク関係の対称性を利用した場合も包含する。
【００３４】
このようなリンク関係の対称性の利用には、いくつかの利点がある。例えば、画像ｆ１と画像ｆ２との対比，画像ｆ１と画像ｆ３との対比，画像ｆ１と画像ｆ４との対比が望まれており、リンク関係Ｌ（ｆ１→ｆ２），Ｌ（ｆ１→ｆ３），Ｌ（ｆ１→ｆ４）が定義されているとする。この場合、画像ｆ２〜ｆ４の相互間も関係のある画像群であり、対比可能な表示が望まれることが多い。しかし、「リンク関係に基づいて」表示することを、直接的にリンク関係で関係づけられた画像群を表示するという狭義の意味（基本レイアウト）であるとすると、画像ｆ２〜ｆ４を対比可能に表示できない。あるいは、画像ｆ２〜ｆ４の相互間に新たにリンク関係を定義する必要があり、リンク関係が複雑になる。しかし、リンク関係の対称性をレイアウトに利用すれば、複雑なリンク関係を設定することなく、対比が望まれる画像を対比可能に表示可能である。
【００３５】
以上、実施の形態に係る一般化した画像表示装置１を説明したが、以下の第１および第２実施形態では、デジタルカメラに搭載された画像表示装置を例として説明を行う。
【００３６】
＜＜第１実施形態＞＞
第１実施形態においては、ガイド撮影およびガイド撮影によって得られた画像の再生表示を行うデジタルカメラについて説明する。第１実施形態のデジタルカメラは、撮影の見本となるガイド画像を参照しながらガイド撮影を行うことができる。また、当該デジタルカメラは、ガイド画像とガイド撮影によって取得した撮影画像との間に定義されたリンク関係に基づいて、画像群を対比可能に表示する。以下の説明では、ガイド画像の構図を参照しながら自動車を撮影して得られた画像群を再生表示する例を随時あげるが、これは例示であって本発明に係る画像表示装置の用途はこの用途に制限されない。また、第１実施形態においては、ガイド撮影およびガイド撮影によって得られた撮影画像の再生表示を専ら行うデジタルカメラを例にあげて説明を行うが、これらの機能は一般的なデジタルカメラに付加された機能として実現されてもよい。
【００３７】
＜デジタルカメラの外観構成＞
図５は、第１実施形態のデジタルカメラ２を斜め前方から見た斜視図である。図６は、デジタルカメラ２の背面図である。
【００３８】
図５に示すように、デジタルカメラ２の正面には、被写体像をＣＣＤ（Ｃｈａｒｇｅ  Ｃｏｕｐｌｅｄ  Ｄｅｖｉｃｅ）２０１に結像させる撮影レンズ２０２と、ユーザが被写体を視認するためのファインダ窓２０３と、フラッシュ２０４とが設けられる。
【００３９】
さらに、デジタルカメラ２の上面には、デジタルカメラ２のユーザが撮影を指示するレリーズボタン２０５と、電源ＯＮとＯＦＦとを順次に切り替える電源スイッチ２０６と、デジタルカメラ２の動作モードを切り替えるモード切り替えボタン２０７と、撮影パラメータを表示する液晶パネル２０８とが設けられる。
【００４０】
さらに、デジタルカメラ２の側面には、ガイド画像および撮影画像が格納される媒体であるメモリカード２０９を挿入する挿入口２１０が設けられる。
【００４１】
また、図６に示すように、デジタルカメラ２の背面には、画像等を表示する矩形のディスプレイである液晶モニタ２１１と、液晶モニタ２１１に表示されるカーソルを上下左右の４方向に移動させるカーソルキー２１２と、カーソルキー２１２における選択を確定する実行ボタン２１３と、撮影レンズ２０２のズーム倍率を変更するズームキー２１４と、表示設定ボタン群２１５とが設けられる。液晶モニタ２１１は、撮影時にはライブビューを表示するとともに、再生時にはメモリカード２０９に格納されている画像を再生表示する。表示設定ボタン群２１５は、表示切り替えボタン２１５ａ，拡大表示ボタン２１５ｂ，インデックス表示ボタン２１５ｃからなる。これらのボタン群は液晶モニタ２１１における画像の再生方法を変更するために用いられる。個別のボタンの機能は「再生モード」の説明時に詳細に説明する。
【００４２】
＜デジタルカメラの内部構成＞
デジタルカメラ２の内部構成を図７の機能ブロック図を参照しながら説明する。
【００４３】
デジタルカメラ２は、撮影レンズ２０２，ＣＣＤ２０１，Ａ／Ｄ変換部２２０および画像処理部２２１を備える。撮影レンズ２０２から得られた被写体像はＣＣＤ２０１に結像させられる。ＣＣＤ２０１は、光電変換作用により被写体像を画像信号に変換する。この画像信号は、Ａ／Ｄ変換部２２０によってアナログ信号からデジタル信号に変換される。さらに、当該画像信号には、画像処理部２２１で所定の画像処理が施される。画像処理後の画像信号は、圧縮部２２２，ライブビュー作成部２２３および全体制御部２３０に画像として出力される。ライブビュー作成部２２３は、この画像からライブビューを作成する。ライブビューは、撮影待機時にレリーズボタン２０５が押下されるまで所定時間間隔で更新されながら液晶モニタ２１１に表示される。圧縮部２２２は、レリーズボタン２０５が押下された時点で画像処理部２２１から入力された画像をＥｘｉｆ（Ｅｘｃｈａｎｇｅａｂｌｅ  Ｆｉｌｅ  Ｆｏｒｍａｔ）形式に変換してメモリカード２０９の所定のフォルダに格納する。このとき、格納される画像のタグにはリンク関係が記述される。このリンク関係の詳細および格納されるフォルダは後述する。
【００４４】
また、デジタルカメラ２は、液晶パネル２０８および操作部２２４を備える。液晶パネル２０８にはデジタルカメラ２の撮影パラメータが表示される。操作部２２４は、先述したレリーズボタン２０５，電源スイッチ２０６，モード切り替えボタン２０７，カーソルキー２１２，実行ボタン２１３，ズームキー２１４および表示設定ボタン群２１５を包含しており、ユーザの指示を受け取るインターフェースとして機能する。
【００４５】
また、デジタルカメラ２は、上述の各構成を統括制御する全体制御部２３０を備える。全体制御部２３０は、ＣＰＵ２３１，ＲＡＭ２３２およびＲＯＭ２３３を備えるマイクロコンピュータである。ＲＯＭ２３３には、デジタルカメラ２の動作を規定するプログラム２３４がインストールされる。プログラム２３４によって、後述する再生モードにおける画像表示は実現される。つまり、再生モードにおける画像のレイアウトは、プログラム２３４によって決定される。
【００４６】
また、全体制御部２３０は、撮影レンズ２０２を駆動して合焦状態を変化させるレンズ駆動部２２５へ制御信号を出力するＡＦ制御部２２６を備える。ＡＦ制御部２２６は、画像処理部２２１から入力された画像の部分領域（ＡＦエリア）のコントラストが最大となるように、撮影レンズ２０２を駆動する。換言すれば、ＡＦ制御部２２６はコントラスト方式のオートフォーカス制御を行っている。また、コントラスト算出に用いられた画像の部分領域（ＡＦエリア）は、メモリカード２０９への画像の格納時に当該画像のタグに記述される。
【００４７】
＜ガイド画像の登録＞
第１実施形態のデジタルカメラ２は、撮影の見本となるガイド画像をガイド撮影に先立って登録する必要がある。以下では、このガイド画像の登録方法を説明する。
【００４８】
デジタルカメラ２のメモリカード２０９には、階層型のフォルダ構造におけるフォルダによって分類された状態でＥｘｉｆ形式の画像（ファイル）が格納される。デジタルカメラ２は、当該階層フォルダ構造中の所定のパスおよびフォルダ名のフォルダに格納されている画像を、ガイド画像と認識する。このため、ガイド画像が格納されるメモリカード２０９のフォルダ構造をまず最初に説明し、しかる後にガイド画像の登録方法を説明することとする。
【００４９】
ここで、メモリカード２０９のフォルダ構造について図８のフォルダツリー２４０を参照しながら説明する。図８に示されるように、ガイド撮影に係るフォルダツリー２４０の最上層のフォルダとして「ガイド」フォルダが設けられる。「ガイド」フォルダの下層には、ガイド撮影に必要なガイド画像やガイド撮影で取得された撮影画像が所定のフォルダ構造で格納される。
【００５０】
図８における「ガイド」フォルダの下層には子フォルダとして、「ガイド撮影１」フォルダおよび「ガイド撮影２」フォルダという２つのガイド撮影フォルダが設けられている。ガイド撮影フォルダは、複数の構図を組み合わせた一連のガイド画像群に対応して設けられる。したがって、ガイド撮影フォルダの数は１または３以上であってもよい。すなわち、ガイド撮影フォルダは、複数の構図を組み合わせた一連のガイド画像群の数だけ設けられる。
【００５１】
このことを、一般化した画像表示装置１の説明であげた中古車のガイド撮影の場合を例示して説明する。今、中古車のガイド撮影において、次の３種類のガイド撮影がデジタルカメラ２で行われるとする。すなわち、
（１）フロント，リアおよびサイドの３撮影からなる第１のガイド撮影；
（２）フロント，リア，サイド，前部座席および後部座席の５撮影からなる第２のガイド撮影；および
（３）フロント，リア，サイド，前部座席，後部座席およびエンジンルームの６撮影からなる第３のガイド撮影；
の３種類のガイド撮影がデジタルカメラ２で行われるとする。このとき、「ガイド」フォルダの子フォルダとして、第１〜３のガイド撮影のそれぞれに係る第１〜第３のガイド撮影フォルダが設けられる。このフォルダ数は、メモリカード２０９の記憶容量および全体制御部２３０の演算能力が許容する範囲内で任意に増減可能である。
【００５２】
再び図８に戻って説明する。各ガイド撮影フォルダの下層には、ガイド画像および撮影画像が所定のフォルダ構造で格納されるが、そのフォルダ構造はどのガイド撮影フォルダにおいても本質的には同じである。したがって、以下の説明においては、「ガイド撮影１」フォルダの下層のフォルダ構造のみを説明し、これ以外のガイド撮影フォルダの詳細説明は省略する。
【００５３】
「ガイド撮影１」フォルダの下層には子フォルダとして、ガイド画像が格納される「ガイド画像１」フォルダが設けられる。デジタルカメラ２は、「ガイド画像１」フォルダに格納された画像を、「ガイド撮影１」フォルダに係るガイド撮影のガイド画像と認識する。図８の場合で言えば、「ガイド画像１」フォルダに格納された「ガイド画像１００１」，「ガイド画像１００２」，「ガイド画像１００３」がガイド画像としてデジタルカメラ２に認識される。
【００５４】
「ガイド画像１」フォルダの作成および「ガイド画像１」フォルダへのガイド画像の登録は、例えば、メモリカード２０９の読み書きが可能なコンピュータシステム上でファイル操作を行うことにより実行される。また、デジタルカメラ２でこのようなファイル操作が可能となるように、デジタルカメラ２を構成してもよい。ガイド画像フォルダに格納されるガイド画像は、デジタルカメラ２で取得した画像でも、別の手段で取得した画像でもよい。
【００５５】
＜撮影画像フォルダ＞
ガイド画像フォルダと同じフォルダ階層には、ガイド撮影によって得られた撮影画像が格納される撮影画像フォルダが設けられる。撮影画像フォルダは、後述する新規撮影モードでのガイド撮影時に、複数の構図を組み合わせた一連のガイド撮影に対応して１つ設けられる。したがって、一連のガイド撮影が複数回行われれば、撮影画像フォルダはその回数分だけ設けられる。
【００５６】
図８のフォルダツリー２４０には、「撮影画像１１」フォルダおよび「撮影画像１２」フォルダという２つの撮影画像フォルダが「ガイド画像１」フォルダと同じフォルダ階層に作成された様子が図示されている。「撮影画像１１」フォルダには、３枚の撮影画像（「撮影画像１１０１」，「撮影画像１１０２」，「撮影画像１１０３」）が格納されている。また、「撮影画像１２」フォルダには、２枚の撮影画像（「撮影画像１２０１」，「撮影画像１２０２」）が格納されている。ここで、「撮影画像１１」フォルダには、３枚のガイド画像（「ガイド画像１００１，「ガイド画像１００２」，「ガイド画像１００３」）のリンク先の撮影画像が全て格納されている。一方、「撮影画像１２」フォルダには、３枚のガイド画像の一部のリンク先の撮影画像しか格納されていない（ここでは、「ガイド画像１００３」のリンク先の撮影画像が欠落しているとする）。このような事例は、一連のガイド撮影を途中で中断したり、撮影画像を消去したりした場合に起こりうる。
【００５７】
なお、第１実施形態においては、図９のリンク関係図２５０に示されるように、矢印２５１〜２６０で表現されるリンク関係が画像間に定義されているとして以下の説明を行う。
【００５８】
＜タグ＞
フォルダおよび画像には、当該フォルダおよび当該画像に係る情報が記述されたタグが付加される。そして、画像間の関係を定義するリンク関係が画像のタグに記述される。第１実施形態では、以下の（１）および（２）のリンク関係が画像のタグに記述される。
（１）撮影画像のタグに記述された、当該撮影画像のガイド撮影時に見本となったガイド画像のパスおよびファイル名。
（２）ガイド画像のタグに記述された、ガイド撮影時に当該ガイド画像を見本とした撮影画像のパスおよびファイル名。
【００５９】
パスは相対パスおよび絶対パスのいずれで記述されてもよい。また、（１）の場合はパスおよびファイル名が記述されるガイド画像は１つであるが、（２）の場合は、複数の撮影画像のパスおよびファイル名が記述されることも許容される。そして、デジタルカメラ２は、（１）を参照することにより撮影画像のリンク先のガイド画像を特定可能となる。具体的には、ある撮影画像が指定されると、そのタグが参照されてリンク先ガイド画像のパスおよびファイル名が読み取られる。そして、リンク先のガイド画像が特定される。同様にして、（２）を参照することにより、ガイド画像のリンク先の撮影画像も特定可能である。これらのリンク関係は新規撮影モードおよび追加撮影モードでガイド撮影により画像が取得されるときに当該画像のタグに記述される。その記述動作は後述する新規撮影モードおよび追加撮影モードの説明の中で行う。
【００６０】
また、この例では画像間のリンク関係は双方向である。すなわち、画像Ｕ，Ｖにリンク関係Ｌ（Ｕ→Ｖ）が存在するときはリンク関係Ｌ（Ｖ→Ｕ）も存在している。しかし、リンク関係は必ずしも双方向である必要はなく、一方向だけが存在していてもよい。例えば、画像Ｕ，Ｖに明確な主従関係があって、画像Ｕを主として、リンク先の画像Ｖを参照するのみで、逆方向の画像参照を行う必要がなければ、リンク関係Ｌ（Ｕ→Ｖ）だけを定義して、リンク関係Ｌ（Ｖ→Ｕ）を省略してもよい。ただし、この場合には画像Ｖから画像Ｕを参照することはできない。
【００６１】
これらのリンク関係の記述方法は、一般化した画像表示装置１で説明した「画像に付加して記述する方法」に該当する。もちろん、リンク関係を記述したテキストを画像から分離したファイルとして保持してもよい。
【００６２】
ここで、タグの記述例を図１０を参照しながら説明する。図１０は、「撮影画像１１０１」のタグの具体的内容を模式的に示したものである。「撮影画像１１０１」のファイル２６０には、タグ２６１および画像本体部２６２が含まれる。
【００６３】
画像本体部２６２は画像を所定の形式で記述した情報である。画像本体部２６２は高解像度の画像情報を含み、タグ２６１にはサイズを縮小したサムネイル画像をはじめ様々な情報が記述される。実施の形態に係る画像表示装置の機能を実現するために重要な情報としては、リンク先情報２６１ａおよびＡＦエリア情報２６１ｂがある。第１実施形態に係るデジタルカメラ２ではサムネイル画像を液晶モニタ２１１に表示させる。もちろん、全体制御部２３０の演算能力や液晶モニタ２１１の表示能力が高解像度画像の表示が可能なレベルであれば、高解像度画像を液晶モニタ２１１に表示させてもよい。
【００６４】
リンク先情報２６１ａは、リンク先画像（「ガイド画像１００１」）のパスおよびファイル名を所定の形式で記述したものである。ここでは、リンク先画像のパスおよびファイル名が「ガイド／ガイド撮影／ガイド画像１／ガイド画像１００１」と絶対パス（フォルダ名およびファイル名が、上層から下層へ向かって記号「／」で区切られつつ列挙される）で表現されており、リンク先情報が＜ｌｉｎｋ：ｔｏ＝”ガイド／ガイド撮影／ガイド画像１／ガイド画像１００１”＞と記述されている。なお、リンク元がローカルであるので、この表現ではリンク元が省略される。パスの表現方法は任意であり、周知の様々な表現方法を適用可能であることは言うまでもない。
【００６５】
また、ＡＦエリア情報２６１ｂは、撮影レンズ２０２の合焦状態を評価するためにＡＦ制御部が用いた領域を特定する情報であり、具体的には画素座標等で表現される。これは、いわば「ピントが合っている」点を特定する情報である。
【００６６】
以上、タグに記述されたリンク関係に関する情報を説明したが、画像と画像との関係以外の情報、すなわち、フォルダと画像との関係やフォルダとフォルダとの関係もタグに記述され、画像表示に利用される。具体的には、以下の（３）〜（５）の情報がタグに記述される。
（３）撮影画像フォルダのタグに記述された、当該撮影画像フォルダに対応するガイド画像フォルダのパスおよびフォルダ名（記述されるガイド画像フォルダは１つのみ）。
（４）ガイド画像フォルダのタグに記述された、当該ガイド画像フォルダに対応する撮影画像フォルダのパスおよびフォルダ名（複数の撮影画像フォルダが記述されることも許容される）。
（５）各フォルダおよび各画像のタグに記述された、階層型のフォルダ構造における、親フォルダ，子フォルダ，子画像データへのポインタ。換言すれば、各フォルダのタグには、親フォルダ，子フォルダ，子画像データへのポインタが含まれており、階層型のフォルダ構造の末端要素である各画像ファイルのタグには、親フォルダへのポインタが含まれる。例えば、「ガイド画像１」フォルダのタグには、親フォルダである「ガイド撮影１」フォルダへのポインタと、子画像データである３つの画像（「ガイド画像１００１」，「ガイド画像１００２」，「ガイド画像１００３」）へのポインタとが含まれる。また、「ガイド画像１００１」には、親フォルダである「ガイド画像１」フォルダへのポインタが含まれている。この場合、親フォルダへのポインタは１つのみであるが、子フォルダまたは子画像データへのポインタは複数記述されることも許容される。
【００６７】
＜デジタルカメラの動作モード＞
デジタルカメラ２の動作を以下で説明する。デジタルカメラ２は、新規撮影モード，追加撮影モードの２つの撮影モードと、１つの再生モードとの合計３つの動作モードを備える。これらの動作モードは、モード切り替えボタン２０７を押下することにより切り替え可能である。以下では、まず各動作モードのデジタルカメラ２の動作を説明した後に、これらの３つの動作モード間の切り替え方法を説明する。
【００６８】
＜再生モード＞
以下では、デジタルカメラ２の再生モードについて説明する。再生モードでは、選択されたガイド撮影フォルダの子フォルダであるガイド画像フォルダおよび撮影画像フォルダに格納されている画像が様々なレイアウトで液晶モニタ２１１に表示される。その表示画面としては、後述する８種類の表示画面が存在する。これらの８種類の表示画面は、その特徴によって次の（Ａ）〜（Ｄ）の４グループに分類可能である。
【００６９】
（Ａ）一覧表示画面グループ；
多数の画像を液晶モニタ２１１に一覧表示する表示画面である。一覧表示画面グループの表示画面においては、特定のガイド画像または撮影画像を選択して、別の表示画面へ移行可能である。つまり、一覧表示画面グループの表示画面は目次の機能を備える。
【００７０】
（Ｂ）フォルダ内表示画面グループ；
選択された撮影画像フォルダに格納された撮影画像群の対比に適した表示画面である。中古車のガイド撮影の例で言えば、特定の１台の自動車の様々な構図の画像を対比可能な表示画面である。
【００７１】
（Ｃ）比較表示画面グループ；
選択されたガイド撮影フォルダ内の複数の子フォルダに格納されたリンク画像群の対比に適した表示画面である。つまり、異なるフォルダに格納されているが、リンク関係によって関係づけられた画像群を対比可能な表示画面である。自動車のガイド撮影の例で言えば、複数の自動車に関する、略同一の構図の画像群を対比可能な表示形態である。
【００７２】
（Ｄ）拡大表示画面グループ；
特定の１枚の撮影画像を液晶モニタ２１１の画像表示領域全体に拡大して表示する表示画面である。拡大表示画面グループは、特定の撮影画像の細部を閲覧するのに適している。
【００７３】
以下では、（Ａ）〜（Ｄ）のグループ別に８種類の表示画面について説明する。
【００７４】
（Ａ）一覧表示画面グループ；
一覧表示画面グループには、「デフォルト表示画面」および「インデックス表示画面」がある。これらの表示画面は、表示される撮影画像に係る撮影画像フォルダが、選択された特定の撮影画像フォルダであるか、あるいは全撮影画像フォルダであるかが異なる。
【００７５】
○デフォルト表示画面；
「デフォルト表示画面」は、選択された撮影画像フォルダ（ここでは、「撮影画像１１」フォルダとする）および選択された撮影画像フォルダに対応するガイド画像フォルダ（「ガイド画像１」フォルダ）に格納された全画像が表示される表示画面である。
【００７６】
図１１に例示する「デフォルト表示画面」２７０では、液晶モニタ２１１の画像表示領域Ｒ１を、２行３列のマトリクス状に分割して得られた領域Ｒ１１〜Ｒ１６のそれぞれに、画像が１枚づつ表示されている様子が示されている。１行目（領域Ｒ１１〜Ｒ１３）の３枚の画像は「ガイド画像１」フォルダに格納された３枚のガイド画像（左から、「ガイド画像１００１」，「ガイド画像１００２」，「ガイド画像１００３」）であり、２行目（領域Ｒ１４〜Ｒ１６）の３枚の画像は「撮影画像１１」フォルダに格納された３枚の撮影画像（左から、「撮影画像１１０１」，「撮影画像１１０２」，「撮影画像１１０３」）である。このようなレイアウトにより、同じ列（例えば、領域Ｒ１１およびＲ１４）に表示される画像群はリンク画像群となる。すなわち、リンク画像群が液晶モニタ２１１の縦方向にレイアウトされ、３個の等価な（対称性を有する）リンク関係に対応した３個の縦方向の配列がさらに液晶モニタ２１１の横方向にレイアウトされている。すなわち、縦方向の画像の配列が、一般化した画像表示装置１で説明した「基本レイアウト」に基づいて行われ、横方向の画像の配列が、一般化した画像表示装置１で説明した「応用レイアウト」に基づいて行われる。
【００７７】
横方向の配列順番の基準は特に制限されないが、ファイル名に含まれる情報（連番等）や撮影日時等によって定義された画像間の前後関係を採用しうる（以下、画像の配列順番を特記しない場合は同様の前後関係を配列順番の基準として採用している）。なお、図１１の点線ＤＬは画像表示領域の把握を容易にするために便宜的に記されたものであって、実際の液晶モニタ２１１には表示されない（以下も同様）。
【００７８】
「デフォルト表示画面」２７０を、冒頭で例示した自動車の場合をあげてより具体的に説明すると、１行目は１台の自動車を異なる構図で撮影して得られたガイド画像であり、２行目は別の１台の自動車を異なる構図で撮影して得られた撮影画像である。ここで、各列の２枚の画像が２台の自動車の類似構図の画像となるように６枚の画像はレイアウトされている。このような表示方法により、多数の画像を同時に表示しても対比すべき画像をユーザは容易に把握可能である。また、このような表示は自動的に行われるので、ユーザは煩雑な操作を行う必要がなく、対比すべき画像の誤認識も起こしにくい。
【００７９】
また、液晶モニタ２１１には、これらの画像に加えて、ガイド画像であることを示す文字列Ｍ１や画像が格納されているフォルダ名を記述した文字列Ｍ２も表示される。この表示により、表示されている画像の誤認識をより確実に防止可能になる。
【００８０】
また、表示された画像のいずれか１つにはカーソルＫＲが重畳表示されており、ユーザはカーソルキー２１２を用いてカーソルＫＲの位置を移動可能である（以下も同様）。
【００８１】
次に、図１１で例示した「デフォルト表示画面」２７０の変形例を図１２および図１３に示す。図１２および図１３の「デフォルト表示画面」２７１および２７２は、「デフォルト表示画面」２７０の横方向に配列される画像数を３枚から２枚に減らして（マトリクスを２行３列から２行２列に変更）、表示される個々の画像を大きくしたものに相当する。この場合（一般的には、列の数がガイド画像の数よりも少ない場合）、「ガイド画像１」フォルダおよび「撮影画像１１フォルダ」にそれぞれ格納されている３枚の画像を同時表示できないので、カーソルキー２１２によるスクロール操作で表示される画像を変化させる必要がある。すなわち、
（１）「ガイド画像１００１」，「ガイド画像１００２」，「撮影画像１１０１」および「撮影画像１１０２」がそれぞれ領域Ｒ２１〜Ｒ２４に表示された「デフォルト表示画面」２７１；および
（２）「ガイド画像１００２」，「ガイド画像１００３」，「撮影画像１１０２」および「撮影画像１１０３」がそれぞれ領域Ｒ３１〜Ｒ３４に表示された「デフォルト表示画面」２７２；
をスクロール操作で切り替えて表示する必要がある。「デフォルト表示画面」２７１の「撮影画像１１０２」の右側には、表示されていない「撮影画像１１０３」が存在することを示す右方向への矢印型のアイコンＩＣＮ１が表示されている。また、「デフォルト表示画面」２７２の「撮影画像１１０２」の左側には、表示されていない「撮影画像１１０１」が存在することを示す左方向への矢印型のアイコンＩＣＮ２が表示されている。
【００８２】
ここで、液晶モニタ２１１にアイコンＩＣＮ１が表示されている場合に、右側にアイコンＩＣＮ１が表示された「撮影画像１１０２」にカーソルＫＲを移動して、カーソルＫＲをさらに右側に移動させるカーソルキー２１２の操作を行うと、液晶モニタ２１１に表示される画面は「デフォルト表示画面」２７１から「デフォルト表示画面」２７２に変化する。逆に、液晶モニタ２１１にアイコンＩＣＮ２が表示されている場合に、左側にアイコンＩＣＮ２が表示された「撮影画像１１０２」にカーソルＫＲを移動して、カーソルＫＲをさらに左側に移動させるカーソルキー２１２の操作を行うと、液晶モニタ２１１に表示される画面は「デフォルト表示画面」２７２から「デフォルト表示画面」２７１に変化する。このような表示切り替え方法を採用することにより、「デフォルト表示画面」２７０が仮想的に存在しており、その仮想画面の一部分を拡大して液晶モニタ２１１に表示させたのと同等の視覚上の効果を生ぜせしめることができる。これにより、画像やリンク関係の誤認識を防止しつつ、画像をより大きく表示させることが可能となり、画像の細部の閲覧が容易になる。さらに、液晶モニタ２１１にスクロール可能方向を示すアイコンＩＣＮ１，ＩＣＮ２を表示させることにより、ユーザはスクロール可能方向を容易に認識可能であるので、所望の画像を表示させるためのカーソル操作を知ることができる。
【００８３】
なお、上述の説明では、選択された「撮影画像１１」フォルダに３枚のガイド画像のリンク先画像が全て含まれていた。しかし、選択されたフォルダが「撮影画像１２」フォルダである場合、リンク先画像が存在しないガイド画像が存在する（「ガイド画像１００３」）。この場合は、「デフォルト表示画面」２７１の２行目３列目（領域Ｒ１６）に表示すべき画像が存在しない。このよう場合は、図１４の「デフォルト表示画面」２７３に例示するように、表示すべき画像が存在しないことを示す代理画像ＰＲをデジタルカメラ２が生成して、当該領域に表示させる（図中でハッチングで示されている）。代理画像ＰＲはどのようなものであってもよいが、一様のグレー画面や表示すべき画像が存在しないことを示すメッセージ等（「リンク画像がありません」等）を採用しうる。また、代理画像ＰＲは、以下の表示画面においても表示すべきリンク先画像が存在しない場合に表示される。
【００８４】
このような代理画像ＰＲの表示によって、ユーザはリンク先画像が存在しないことを容易に認識できる。このため、撮影忘れや画像の誤消去に気がつきやすくなる。
【００８５】
なお、上述の画像表示は、リンク関係に基づいて画像をレイアウトするという第１実施形態に係るデジタルカメラ２に搭載された画像表示装置により可能になる。すなわち、単に選択したフォルダ内の複数の画像を表示させるだけの従来の画像表示装置を搭載したデジタルカメラでは、このような表示方法は不可能である。あるいは、ユーザが、対比すべき画像を表示させ、表示させた画像間の関係をひとつひとつ確認しながら画像の並べ替えを行うという煩雑な操作が必要になる。
【００８６】
○インデックス表示画面；
「インデックス表示画面」２８０は、選択されたガイド撮影フォルダ（ここでは、「ガイド撮影１」フォルダとする）の子フォルダである全ての撮影画像フォルダ（「撮影画像１１」フォルダおよび「撮影画像１２」フォルダ）およびガイド画像フォルダ（「ガイド画像１」フォルダ）に格納された全画像が表示される表示画面である。
【００８７】
図１５に例示する「インデックス表示画面」２８０においては、液晶モニタ２１１の画像表示領域Ｒ４を、３行３列のマトリクス状に分割して得られた領域Ｒ４１〜Ｒ４９のそれぞれに、画像が１枚ずつ表示されている様子が示されている。ここで、１行目（領域Ｒ４１〜Ｒ４３）の３枚の画像は「ガイド画像１」フォルダに格納された３枚のガイド画像（「ガイド画像１００１」，「ガイド画像１００２」，「ガイド画像１００３」）である。２行目（領域Ｒ４４〜Ｒ４６）の３枚の画像は「撮影画像１１」フォルダに格納された３枚の撮影画像（「撮影画像１１０１」，「撮影画像１１０２」，「撮影画像１１０３」）である。３行目（領域Ｒ４７〜Ｒ４９）の３枚の画像は「撮影画像１１」フォルダに格納された２枚の撮影画像（「撮影画像１２０１」，「撮影画像１２０２」）および代理画像ＰＲである。ここで、「撮影画像１２」フォルダには、「ガイド画像１００３」のリンク先画像が格納されていないので、３行目３列目（領域Ｒ４９）にはダミーとなる代理画像ＰＲが表示される。
【００８８】
この表示画面の場合、リンク画像群は同じ列（例えば、領域Ｒ４１，Ｒ４４，Ｒ４７）に表示される。すなわち、リンク画像群は液晶モニタ２１１の縦方向にレイアウトされる。この場合も、「デフォルト表示画面」２７０の場合と同様に、縦方向の画像の配列が、一般化した画像表示装置１で説明した「基本レイアウト」に基づいて行われ、横方向の画像の配列が、一般化した画像表示装置１で説明した「応用レイアウト」に基づいて行われている。
【００８９】
この表示方法により、多数の画像を同時に配列しても対比すべき画像を容易に把握可能である。また、このような表示は自動的に行われるので、ユーザは煩雑な操作を行う必要がない。また、対比すべき画像の誤認識も防止できる。
【００９０】
（Ｂ）フォルダ内表示画面グループ；
フォルダ内表示画面グループには、「フォルダ内表示画面（１枚）」および「フォルダ内表示画面（複数枚）」がある。これらの表示画面は、その名称が示唆するように、同時に表示される撮影画像の枚数が異なる。また、「フォルダ内表示画面（１枚）」においてはガイド画像も表示されるのに対して、「フォルダ内表示画面（複数枚）」ではガイド画像は表示されない点が異なる。
【００９１】
○フォルダ内表示画面（１枚）；
「フォルダ内表示画面（１枚）」は、「デフォルト表示画面」２７１の列の数を１列まで減らした表示画面に相当する。すなわち、選択された１枚のガイド画像と、当該ガイド画像のリンク先の撮影画像とを液晶モニタ２１１に同時表示させる表示画面である。
【００９２】
「フォルダ内表示画面（１枚）」２９０の一例を図１６に示す。「フォルダ内表示画面（１枚）」２９０では、液晶モニタ２１１の画像表示領域Ｒ５を、２行１列のマトリクス状に分割して得られた上側の領域Ｒ５１に「ガイド画像１００１」が表示されている。また、下側の領域Ｒ５２には、そのリンク先画像である「撮影画像１１０１」が表示されている。これは、一般化した画像表示装置１で説明した「基本レイアウト」に対応する表示方法である。
【００９３】
この場合、リンク画像群が液晶モニタ２１１の縦方向にレイアウトされるので、ユーザはリンク関係を容易に認識でき、煩雑な操作なく画像の対比が可能である。さらに「撮影画像フォルダ内表示（１枚）」２９０の場合、「デフォルト表示画面」２７０の場合よりも各画像の表示に割り当てる面積を大きくできるので、個別の画像の閲覧がより容易になる。
【００９４】
また、「フォルダ内表示画面（１枚）」２９０では、ガイド画像が２枚以上ある場合、全ガイド画像およびそのリンク先の撮影画像を同時表示できない。したがって、これらの画像を閲覧するためには、「デフォルト表示画面」２７１，２７２で説明したスクロール操作が必要になる。「フォルダ内表示画面（１枚）」２９０においても、表示されていない撮影画像の存在を示すアイコンＩＣＮ１またはアイコンＩＣＮ２が液晶モニタ２１１に表示されるので（図１６ではアイコンＩＣＮ１のみ示されている）、ユーザはこれらの指示にしたがってスクロール操作を行うことが可能である。この場合、下側の領域Ｒ５２に表示される撮影画像が変更されると、上側の領域Ｒ５１に表示される撮影画像もリンク関係に基づいて更新される。すなわち、ガイド画像α１，α２および撮影画像β１，β２の間にリンク関係Ｌ（α１→β１），Ｌ（α２→β２），Ｌ（β１→α１）およびＬ（β２→α２）が定義されており、ガイド画像α１および撮影画像β１が液晶モニタ２１１に表示されている場合、表示される撮影画像が撮影画像β２に変更されると、同時に表示されるガイド画像も撮影画像β２との間でリンク関係が定義されたガイド画像α２に更新される。つまり、スクロールは表示の基準となるリンク関係を変更することを意味する。
【００９５】
なお、「フォルダ内表示画面（１枚）」２９０においても、「デフォルト表示画面」２７０の場合と同様に、ガイド画像のリンク先の撮影画像が存在しない場合はダミーとなる代理画像ＰＲが表示される。
【００９６】
○フォルダ内表示画面（複数枚）；
「フォルダ内表示画面（複数枚）」は、選択された撮影画像フォルダに格納された２枚の撮影画像を同時表示する表示画面である。
【００９７】
「フォルダ内表示画面（複数枚）」３００の一例を図１７に示す。「フォルダ内表示画面（複数枚）」３００では、液晶モニタ２１１の画像表示領域Ｒ６を、１行２列のマトリクス状に分割して得られた領域Ｒ６１およびＲ６２にそれぞれ「撮影画像１１０１」および「撮影画像１１０２」が表示されている。さらに、「フォルダ内表示画面（複数枚）」３００においても、アイコンＩＣＮ１およびＩＣＮ２が適宜表示されるので、「インデックス表示画面」２７０等と同様の方法でスクロールを行うことにより、ユーザは撮影画像フォルダ内の全撮影画像を順次閲覧可能である。
【００９８】
（Ｃ）比較表示画面グループ；
比較表示画面グループには、「比較表示画面（複数枚）」および「比較表示画面（１枚）」がある。これらの表示画面は、その名称が示唆するように、表示される撮影画像の枚数が異なる。
【００９９】
○比較表示画面（複数枚）；
「比較表示画面（複数枚）」は、選択されたガイド画像（ここでは、「ガイド画像１００１」とする）および当該ガイド画像のリンク先の撮影画像（「撮影画像１１０１」および「撮影画像１２０１」）が表示される表示画面である。図１８に例示する「比較表示画面（複数枚）」３１０においては、液晶モニタ２１１の画像表示領域Ｒ７を、２行２列にマトリクス状に分割して得られた領域Ｒ７１〜Ｒ７４の２行目１列目（領域Ｒ７３）を除くそれぞれに、画像が１枚づつ表示されている様子が示されている。１行目１列目（領域Ｒ７１），１行目２列目（領域Ｒ７２），２行目２列目（領域Ｒ７３）の各画像は、それぞれ「ガイド画像１００１」，「撮影画像１１０１」，「撮影画像１２０１」である。この表示画面により、１列目（領域Ｒ７１およびＲ７３）にガイド画像、２列目（領域Ｒ７２およびＲ７４）に撮影画像がレイアウトされる。すなわち、横方向の画像の配列が、一般化した画像表示装置１で説明した「基本レイアウト」に基づいて行われ、縦方向の画像の配列が、一般化した画像表示装置１で説明した「応用レイアウト」に基づいて行われる。
【０１００】
この表示方法により、ユーザは、１列目と２列目とに表示された画像間にリンク関係があることを煩雑な操作なしに把握可能であり、対比すべき画像を誤認識することがない。
【０１０１】
また、「比較表示画面（複数枚）」３１０の変形例を図１９および図２０に示す。図１９および図２０の「比較表示画面（複数枚）」３１１および３１２は、ガイド撮影フォルダの子フォルダである撮影画像フォルダが３個以上ある場合に表示される。例えば、「撮影画像１１」フォルダ，「撮影画像１２」フォルダに加えて、「撮影画像１３」フォルダが存在し、「ガイド画像１００１」のリンク先の「撮影画像１３０１」が「撮影画像１３」フォルダに格納されている場合に利用される。この場合、「ガイド画像１００１」のリンク先の全撮影画像を同時に表示させることはできないので、スクロール操作が必要になる。すなわち、
（１）「ガイド画像１００１」，「撮影画像１１０１」および「撮影画像１２０１」がそれぞれ領域Ｒ８１，Ｒ８２およびＲ８４に表示された「比較表示画面（複数枚）」３１１；および
（２）「ガイド画像１００１」，「撮影画像１２０１」および「撮影画像１２０３」がそれぞれ領域Ｒ９１，Ｒ９２およびＲ９４に表示された「比較表示画面（複数枚）」３１２；
をスクロール操作で切り替えて表示する必要がある。図１９の「比較表示画面（複数枚）」３１１の「撮影画像１２０１」の下側には、表示されていない「撮影画像１３０１」が存在することを示す下方向への矢印型のアイコンＩＣＮ３が表示されている。また、図２０の「比較表示画面（複数枚）」３１２の「撮影画像１２０１」の上側には、表示されていない「撮影画像１１０１」が存在することを示す上方向への矢印型のアイコンＩＣＮ４が表示されている。
【０１０２】
ここで、液晶モニタ２１１にアイコンＩＣＮ３が表示されている場合に、下側にアイコンＩＣＮ３が表示された「撮影画像１２０１」にカーソルＫＲを移動して、さらにカーソルＫＲを下側に移動させるカーソルキー２１２の操作を行うと、液晶モニタ２１１に表示される画面は「比較表示画面（複数枚）」３１１から「比較表示画面（複数枚）」３１２に変化する。逆に、液晶モニタ２１１にアイコンＩＣＮ４が表示されている場合に、上側にアイコンＩＣＮ４が表示された「撮影画像１２０１」にカーソルＫＲを移動して、さらにカーソルＫＲを上側に移動させるカーソルキー２１２の操作を行うと、液晶モニタ２１１に表示される画面は「比較表示画面（複数枚）」３１２から「比較表示画面（複数枚）」３１１に変化する。このとき、「ガイド画像１００１」の表示位置は変化しないので、あたかも右側の撮影画像だけがスクロールされているかのような視覚効果が得られる。
【０１０３】
このような表示画面により、画像やリンク関係の誤認識を防止しつつ、画像をより大きく表示させることが可能となり、画像の細部の閲覧が容易になる。さらに、液晶モニタ２１１にスクロール可能方向を示すアイコンＩＣＮ３，ＩＣＮ４を表示させることにより、ユーザはスクロール可能方向を容易に認識可能であるので、所望の画像を表示させるためのカーソル操作を知ることができる。
【０１０４】
また、フォルダ内表示画面グループの表示画面におけるスクロールは左右方向であったが、比較表示画面グループにおけるスクロールは上下方向である。これは、左右方向のスクロールが撮影画像フォルダ内の移動に対応し、撮影画像間フォルダ間の移動に対応していることを意味する。このように、スクロールの方向をフォルダの階層構造の深さ方向に対する関係の違いによって変えることにより、ユーザは所望の画像を表示させるのに必要なカーソルキー２１２の操作を直感的に理解可能である。なお、実施の形態１においては、リンク関係はフォルダの階層構図の横方向（同一階層）に定義されているので、スクロールの方向はリンク関係の方向に対する関係の違いによって変えられているとも言える。
【０１０５】
○比較表示画面（１枚）；
「比較表示画面（１枚）」は、「比較表示画面（複数枚）」３１１および３１２において、表示される撮影画像を１枚に変更した、すなわちマトリクスの行の数を１行に変更した場合に相当する。
【０１０６】
「比較表示画面（１枚）」３２０の一例を図２１に示す。図２１の「比較表示画面（１枚）」３２０では、液晶モニタ２１１上の画像表示領域Ｒ１００を、１行２列のマトリクス状に分割して得られた左側の領域Ｒ１０１に「ガイド画像１００１」が表示されている。また、右側の領域Ｒ１０２には、そのリンク先画像である「撮影画像１１０１」が表示されている。すなわち、横方向の画像の配列が、一般化した画像表示装置１で説明した「基本レイアウト」に基づいて行われている。
【０１０７】
また、「比較表示画面（１枚）」３２０では、「ガイド画像１００１」のリンク先の撮影画像が２枚以上ある場合、全撮影画像を同時表示できない。したがって、これらの画像を閲覧するためには、「比較表示画面（複数枚）」３１１および３１２で説明したスクロール操作が必要になる。「比較表示画面（１枚）」３２０においても、表示されていない撮影画像があることを示すアイコンＩＣＮ３またはアイコンＩＣＮ４（図２１ではアイコンＩＣＮ３のみ示されている）が液晶モニタ２１１に表示されるので、ユーザはこれらの指示にしたがってスクロール操作を行うことが可能である。この場合、右側の領域Ｒ１０２に表示される撮影画像が変更されても、左側の領域Ｒ１００１に表示される撮影画像は更新されない。なぜならば、ガイド画像α１および撮影画像β１，β２の間にリンク関係Ｌ（α１→β１），Ｌ（α１→β２），Ｌ（β１→α１）およびＬ（β２→α１）が定義されており、ガイド画像α１および撮影画像β１が液晶モニタ２１１に表示されている場合、表示される撮影画像が撮影画像β２に変更されて参照されるリンク関係が変化しても、撮影画像のリンク元のガイド画像はやはりガイド画像α１であるからである。
【０１０８】
この場合も、リンク画像群が液晶モニタ２１１の横方向にレイアウトされるので、ユーザはリンク関係を容易に認識でき、煩雑な操作なく画像の対比が可能である。さらに「比較表示画面（１枚）」３２０の場合、「比較表示画面（複数枚）」３１２の場合よりも各画像の表示に割り当てる面積を大きくできるので、個別の画像の閲覧がより容易になる。
【０１０９】
なお、「比較表示画面（１枚）」３２０においても、「デフォルト表示画面」２７０の場合と同様に、ガイド画像のリンク先の撮影画像が存在しない場合にはダミーとなる代理画像ＰＲを表示させる。
【０１１０】
（Ｄ）拡大表示画面グループ；
拡大表示画面グループには、「拡大表示画面（ガイド画像なし）」および「拡大表示画面（ガイド画像あり）」がある。これらの表示画面は、その名称が示唆するように、表示される撮影画像と同時にリンク先のガイド画像が表示されるかどうかが異なっている。
【０１１１】
○拡大表示画面（ガイド画像なし）；
「拡大表示画面（ガイド画像なし）」は、選択された撮影画像（ここでは「撮影画像１１０１」とする）を液晶モニタ２１１の画像表示領域全体に拡大して表示する表示画面である。その具体的な例を図２２に「拡大表示画面（ガイド画像なし）」３３０として示す。
【０１１２】
○拡大表示画面（ガイド画像あり）；
「拡大表示画面（ガイド画像あり）」は、「拡大表示画面（ガイド画像なし）」の表示画面の一部の領域に、拡大表示されている撮影画像（ここでは「撮影画像１１０１」とする）のリンク先のガイド画像（「ガイド画像１００１」）を表示させる表示画面である。表示されるガイド画像のサイズは撮影画像より小さい。そして、ガイド画像（領域Ｒ１１０）は、図２３の「拡大表示画面（ガイド画像あり）」３４０に示すように、撮影画像をマスクしつつ表示される。この表示画面によれば、選択した撮影画像を拡大しているので、撮影画像の細部を確認することが可能になる。また、リンク先のガイド画像が表示されるので、ガイド画像と撮影画像との対比も煩雑な操作なしに可能である。これは、一般化した画像表示装置１で説明した「基本レイアウト」の変形例に相当する。
【０１１３】
○再生モードにおける表示画面の切り替え；
以下では、再生モードにおける表示画面の切り替えについて、図２４〜図２９を参照しながら説明する。
【０１１４】
図２４は、表示設定ボタン群２１５（表示切り替えボタン２１５ａ，拡大表示ボタン２１５ｂおよびインデックス表示ボタン２１５ｃ）により、表示画面が切り替わる様子を模式的に示す図である。また、図２５〜図２９は、再生モードにおける表示画面の切り替え動作を説明するフローチャートである。ここでは、まず図２４を参照しながら表示画面の切り替えの概略を説明し、しかる後に図２５〜２９のフローチャートを参照しながら再生モードの表示画面の切り替え動作を説明する。
【０１１５】
まず、図２４の「デフォルト表示画面」３５０に注目する。先述したように、「デフォルト表示画面」３５０には、複数のガイド画像および撮影画像が表示されており、その中の１つの画像をカーソルＫＲにより選択可能である。ここで、撮影画像が選択された状態で拡大表示ボタン２１５ｂを押下すると、「拡大表示画面（ガイド画像なし）」３５１へ移行する。「拡大表示画面（ガイド画像なし）」３５１において、表示切り替えボタン２１５ａを押下すると、「拡大表示画面（ガイド画像あり）」３５２へ移行する。さらに、「拡大表示画面（ガイド画像あり）」３５２において、表示切り替えボタン２１５ａを押下すると、「デフォルト表示画面」３５０へ戻る。
【０１１６】
「デフォルト表示画面」３５０に再び注目する。ここで、撮影画像を選択して表示切り替えボタン２１５ａを押下すると、「フォルダ内表示画面（１枚）」３５３へ移行する。「フォルダ内表示画面（１枚）」３５３において、表示切り替えボタン２１５ａを押下すると、「フォルダ内表示画面（複数枚）」３５４へ移行する。さらに、「フォルダ内表示画面（複数枚）」３５４において、表示切り替えボタン２１５ａを押下すると、「デフォルト表示画面」３５０へ戻る。
【０１１７】
「デフォルト表示画面」３５０に再び注目する。ここで、ガイド画像を選択して表示切り替えボタン２１５ａを押下すると、「比較表示画面（複数枚）」３５５へ移行する。「比較表示画面（複数枚）」３５５において、表示切り替えボタン２１５ａを押下すると、「比較表示画面（１枚）」３５６へ移行する。さらに、「比較表示画面（１枚）」３５６において、表示切り替えボタン２１５ａを押下すると、再び「デフォルト表示画面」３５０へ戻る。
【０１１８】
「デフォルト表示画面」３５０に再び注目する。ここで、インデックス表示ボタン２１５ｃを押下すると（カーソルＫＲの位置は無関係）、「インデックス表示画面」３５７へ移行する。「インデックス表示画面」３５７において、インデックス表示ボタン２１５ｃを押下すると（カーソルの位置は無関係）、「デフォルト表示画面」３５０へ戻る。
【０１１９】
次に「インデックス表示画面」３５７に注目する。先述したように、「インデックス表示画面」３５７には、複数のガイド画像と撮影画像とが表示されており、その中の１つの画像をカーソルＫＲにより選択可能である。ここで、撮影画像が選択された状態で拡大表示ボタン２１５ｂを押下すると、「拡大表示画面（ガイド画像なし）」３５８へ移行する。「拡大表示画面（ガイド画像なし）」３５８において、表示切り替えボタン２１５ａを押下すると、「拡大表示画面（ガイド画像あり）」３５９へ移行する。さらに、「拡大表示画面（ガイド画像あり）」３５９において、表示切り替えボタン２１５ａを押下すると、「インデックス表示画面」３５７へ戻る。
【０１２０】
「インデックス表示画面」３５７に再び注目する。ここで、撮影画像を選択して表示切り替えボタン２１５ａを押下すると、「フォルダ内表示画面（１枚）」３６０へ移行する。「フォルダ内表示画面（１枚）」３６０において、表示切り替えボタン２１５ａを押下すると、「フォルダ内表示画面（複数枚）」３６１へ移行する。さらに、「フォルダ内表示画面（複数枚）」３６１において、表示切り替えボタン２１５ａを押下すると、「インデックス表示画面」３５７へ戻る。
【０１２１】
「インデックス表示画面」３５７に再び注目する。ここで、ガイド画像を選択して表示切り替えボタン２１５ａを押下すると、「比較表示画面（複数枚）」３６２へ移行する。「比較表示画面（複数枚）」３６２において、表示切り替えボタン２１５ａを押下すると、「比較表示画面（１枚）」３６３へ移行する。さらに、「比較表示画面（１枚）」３６３において、表示切り替えボタン２１５ａを押下すると、「インデックス表示画面」３５７へ戻る。
【０１２２】
なお、上記の説明で定義されなかった操作は無効な操作としてデジタルカメラ２に認識されるので、表示画面の切り替えは行われない。
【０１２３】
なお、上記で説明した表示切り替えボタン２１５ａ，拡大表示ボタン２１５ｂおよびインデックス表示ボタン２１５ｃの機能は以下のように要約される。
【０１２４】
（１）表示切り替えボタン２１５ａ；
まず、一覧表示画面グループから、フォルダ内表示画面グループまたは比較表示画面グループへ移行するために用いられる。どちらのグループへ移行するのかは、表示切り替えボタン２１５ａが押下されたときに選択されている画像によって変化する。撮影画像が選択された状態で表示切り替えボタン２１５ａを押下すると、フォルダ内表示画面グループへ移行する。これは、撮影画像が選択されていた場合、同じフォルダ内の画像を主に閲覧する画面表示へ移行することを意味する。一方、ガイド画像が選択された状態で表示切り替えボタン２１５ａを押下すると、比較表示画面グループへ移行する。これは、ガイド画像が選択されていた場合、リンク先画像を主に閲覧する表示画面に移行することを意味する。
【０１２５】
また、表示切り替えボタン２１５ａは、フォルダ内表示画面グループ，比較表示画面グループおよび拡大表示画面グループの中の表示画面を切り替えやインデックス表示画面グループに戻るために用いられる。
【０１２６】
（２）拡大表示ボタン２１５ｂ；
一覧表示画面グループから拡大表示画面グループへ移行するために用いられる。
【０１２７】
（３）インデックス表示ボタン２１５ｃ；
一覧表示画面グループの中で表示方法を切り替えるために用いられる。
【０１２８】
なお、上述の表示画面の切り替えは、２つの一覧表示画面（デフォルト表示画面３５０およびインデックス表示画面３５７）を基点とした、同等の２つの切り替え体系からなる。また、デフォルト表示画面３５０およびインデックス表示画面３５７は、インデックス表示ボタン２１５ｃによって順次に切り替え可能である。
【０１２９】
続いて、図２５〜図２９のフローチャートを参照しながら再生モードの動作フローを説明する。動作フローの説明は、まず、フォルダ内表示画面グループ，比較表示画面グループおよび拡大表示画面グループの中の表示画面切り替えの動作フローに係るサブルーチンおよびインデックス表示画面を基点とした表示切り替え体系であるサブルーチンを定義し、しかる後に、定義されたサブルーチンを用いて全体の動作フローを説明する。
【０１３０】
○拡大表示画面グループサブルーチン；
拡大表示画面グループの中の表示画面切り替えに対応した拡大表示画面グループサブルーチンを定義する。以下では、図２５のフローチャートを参照しながら本サブルーチンについて説明する。
【０１３１】
まず、本サブルーチンが開始すると、動作フローはステップＳ１０１へ移行する。
【０１３２】
ステップＳ１０１では、「拡大表示画面（ガイド画像なし）」３３０が液晶モニタ２１１に表示され、ステップＳ１０２へ移行する。
【０１３３】
ステップＳ１０２では、表示切り替えボタン２１５ｂの押下の検出が行われる。そして、表示切り替えボタン２１５ｂの押下が検出された場合、ステップＳ１０３へ移行する。表示切り替えボタン２１５ｂの押下が検出されない場合、ステップＳ１０２へ戻る。すなわち、表示切り替えボタン２１５ｂが押下されるまで、「拡大表示画面（ガイド画像なし）」３３０が液晶モニタ２１１に表示され続ける。
【０１３４】
ステップＳ１０３では、「拡大表示画面（ガイド画像あり）」３４０が液晶モニタ２１１に表示され、ステップＳ１０４へ移行する。
【０１３５】
ステップＳ１０４では、ステップＳ１０２と同様に、表示切り替えボタン２１５ｂの押下の検出が行われる。そして、表示切り替えボタン２１５ｂの押下が検出された場合、本サブルーチンを終了する。表示切り替えボタン２１５ｂの押下が検出されない場合、ステップＳ１０４へ戻る。すなわち、表示切り替えボタン２１５ｂが押下されるまで、「拡大表示画面（ガイド画像あり）」３４０が液晶モニタ２１１に表示され続ける。
【０１３６】
この動作フローにより、表示切り替えボタン２１５ｂが押下されるまでは液晶モニタ２１１には同一の画面が表示される一方で、表示切り替えボタン２１５ｂが押下られると表示される画面が順次切り替わる。
【０１３７】
○フォルダ内表示画面グループサブルーチン；
続いて、フォルダ内表示画面グループの中の表示画面切り替えに対応したフォルダ内表示画面グループサブルーチンを定義する。以下では、図２６のフローチャートを参照しながら本サブルーチンについて説明する。
【０１３８】
まず、本サブルーチンが開始すると、動作フローはステップＳ２０１へ移行する。
【０１３９】
ステップＳ２０１では、「フォルダ内表示画面（１枚）」２９０が液晶モニタ２１１に表示され、ステップＳ２０２へ移行する。
【０１４０】
ステップＳ２０２では、表示切り替えボタン２１５ｂの押下の検出が行われる。そして、表示切り替えボタン２１５ｂの押下が検出された場合、ステップＳ２０３へ移行する。表示切り替えボタン２１５ｂの押下が検出されない場合、ステップＳ２０２へ戻る。すなわち、表示切り替えボタン２１５ｂが押下されるまで、「フォルダ内表示画面（１枚）」２９０が液晶モニタ２１１に表示され続ける。
【０１４１】
ステップＳ２０３では、「フォルダ内表示画面（複数枚）」３００が液晶モニタ２１１に表示され、ステップＳ２０４へ移行する。
【０１４２】
ステップＳ２０４では、ステップＳ２０２と同様に、表示切り替えボタン２１５ｂの押下の検出が行われる。そして、表示切り替えボタン２１５ｂの押下が検出された場合、本サブルーチンを終了する。表示切り替えボタン２１５ｂの押下が検出されない場合、ステップＳ２０４へ戻る。すなわち、表示切り替えボタン２１５ｂが押下されるまで、「フォルダ内表示画面（複数枚）」３００が液晶モニタ２１１に表示され続ける。
【０１４３】
この動作フローにより、表示切り替えボタン２１５ｂが押下されるまでは液晶モニタ２１１には同一の画面が表示される一方で、表示切り替えボタン２１５ｂが押下されると表示される画面が順次切り替わる。
【０１４４】
○比較表示画面グループサブルーチン；
続いて、比較表示画面グループの中の表示画面切り替えに対応した比較表示画面グループサブルーチンを定義する。以下では、図２７のフローチャートを参照しながら本サブルーチンについて説明する。
【０１４５】
まず、本サブルーチンが開始すると、動作フローはステップＳ３０１へ移行する。
【０１４６】
ステップＳ３０１では、「比較表示画面（複数枚）」３１０が液晶モニタ２１１に表示され、ステップＳ３０２へ移行する。
【０１４７】
ステップＳ３０２では、表示切り替えボタン２１５ｂの押下の検出が行われる。そして、表示切り替えボタン２１５ｂの押下が検出された場合、ステップＳ３０３へ移行する。表示切り替えボタン２１５ｂの押下が検出されない場合、ステップＳ３０２へ戻る。すなわち、表示切り替えボタン２１５ｂが押下されるまで、「比較表示画面（１枚）」３１０が液晶モニタ２１１に表示され続ける。
【０１４８】
ステップＳ３０３では、「比較表示画面（複数枚）」３２０が液晶モニタ２１１に表示され、ステップＳ３０４へ移行する。
【０１４９】
ステップＳ３０４では、ステップＳ３０２と同様に、表示切り替えボタン２１５ｂの押下の検出が行われる。そして、表示切り替えボタン２１５ｂの押下が検出された場合、本サブルーチンを終了する。表示切り替えボタン２１５ｂの押下が検出されない場合、ステップＳ３０４へ戻る。すなわち、表示切り替えボタン２１５ｂが押下されるまで、「比較表示画面（複数枚）」３２０が液晶モニタ２１１に表示され続ける。
【０１５０】
この動作フローにより、表示切り替えボタン２１５ｂが押下されるまでは液晶モニタ２１１には同一の画面が表示される一方で、表示切り替えボタン２１５ｂが押下されると表示される画面が順次切り替わる。
【０１５１】
○インデックス表示画面サブルーチン；
続いて、インデックス表示画面を基点とした表示切り替え体系であるインデックス表示画面サブルーチンについて図２８のフローチャートを参照しながら説明する。本サブルーチンは、これまでに定義した拡大表示画面グループサブルーチン，フォルダ内表示画面グループサブルーチンおよび比較表示画面グループサブルーチンを用いて定義される。本サブルーチンは図２４の表示画面切り替え体系の右半分（インデックス表示画面を基点とする部分）に対応するサブルーチンである。
【０１５２】
まず、インデックス表示画面サブルーチンが開始すると、動作フローはステップＳ４０１へ移行する。
【０１５３】
ステップＳ４０１では、「インデックス表示画面」２８０が液晶モニタ２１１に表示され、ステップＳ４０２へ移行する。
【０１５４】
ステップＳ４０２では、インデックス表示ボタン２１５ｃの押下の検出が行われる。そして、インデックス表示ボタン２１５ｃの押下が検出された場合、本サブルーチンを終了する。インデックス表示ボタン２１５ｃの押下が検出されない場合、ステップＳ４０３へ移行する。
【０１５５】
ステップＳ４０３では、拡大表示ボタン２１５ｂの押下の検出が行われる。そして、拡大表示ボタン２１５ｂの押下が検出された場合、ステップＳ４０６の拡大表示画面グループサブルーチンへ移行する。拡大表示ボタン２１５ｂの押下が検出されない場合、ステップＳ４０４へ移行する。
【０１５６】
ステップＳ４０４では、表示切り替えボタン２１５ａの押下の検出が行われる。そして、表示切り替えボタン２１５ａの押下が検出された場合、ステップＳ４０５へ移行する。表示切り替えボタン２１５ａの押下が検出されない場合、ステップＳ４０１へ移行する。
【０１５７】
ステップＳ４０５では、表示切り替えボタン２１５ａが押下された時点で「インデックス表示画面」２８０においてカーソルＫＲで選択されていた画像の種類によって分岐処理が行われる。ガイド画像が選択されていた場合は、ステップＳ４０７のフォルダ内表示画面グループサブルーチンへ移行する。撮影画像が選択されていた場合には、ステップＳ４０８の比較表示画面グループサブルーチンへ移行する。
【０１５８】
なお、ステップＳ４０６〜Ｓ４０８のサブルーチン終了後は、動作フローはＳ４０１へ戻る。
【０１５９】
このような動作フローにより、インデックス表示画面が表示されている状態で押下されたボタンの種類に応じて、表示画面の切り替えが行われる。さらに、表示切り替えボタン２１５ａが押下された場合は、そのときに選択されていた画像の種類によって、表示画面の切り替えが行われる。
【０１６０】
○再生モードの動作フロー全体；
以下では、これまでに定義したサブルーチンを用いて再生モードの動作フロー全体を図２９のフローチャートを参照しながら説明する。なお、再生モードにおいて最初に表示される表示画面は、名称から示唆されるように「デフォルト表示画面」２７０である。しかし、「デフォルト表示画面」２７０においては、表示に係る撮影画像フォルダが１つ選択されてなければならない。このため、再生モードの動作フローにおいては、最初の２ステップ（ステップＳ５０１〜Ｓ５０２）で表示に係る撮影画像フォルダの特定が行われ、しかる後に「デフォルト表示画面」２７０が表示される。
【０１６１】
それでは、再生モードの動作フローを順を追って説明する。
【０１６２】
まず、デジタルカメラ２が再生モードへ移行すると、再生モードの動作フローが開始し、図２９のステップＳ５０１に進む。
【０１６３】
ステップＳ５０１では、図３０に例示する「ガイド撮影フォルダ選択画面」３７０が液晶モニタ２１１に表示される。「ガイド撮影フォルダ選択画面」３７０には、ガイド撮影フォルダの一覧３７１が表示される。表示されたガイド撮影フォルダのいずれか１つには、カーソルＫＲが重畳表示される。そして、ユーザはカーソルキー２１２を用いてカーソルＫＲの位置を移動可能である。さらに、ユーザが実行ボタン２１３を押下することにより、カーソルＫＲが重畳表示されたガイド撮影フォルダが選択されたガイド撮影フォルダとしてデジタルカメラ２に認識され、動作フローは次のステップＳ５０２へ移行する。
【０１６４】
ステップＳ５０２では、図３１に例示する「撮影画像フォルダ選択画面」３８０が液晶モニタ２１１に表示される。「撮影画像フォルダ選択画面」３８０には、ステップＳ５０１で選択したガイド撮影フォルダの下層の撮影画像フォルダの一覧３８１が表示される。この一覧においても「ガイド撮影フォルダ選択画面」３７０と同様のカーソルＫＲが表示され、カーソルキー２１２および実行ボタン２１３を用いて、ユーザは１つの撮影画像フォルダを選択された撮影画像フォルダとしてデジタルカメラ２に認識させることができる。そして、これらの処理が終了すると、動作フローはステップＳ５０３へ移行する。
【０１６５】
以上のステップＳ５０１〜Ｓ５０２で、撮影画像フォルダが特定されたので、次のステップＳ５０３では、この撮影画像フォルダに関する「デフォルト表示画面」２７０の表示を行うことができる。そこで、ステップＳ５０３で、「デフォルト表示画面」２７０が液晶モニタ２１１に表示され、ステップＳ５０４へ移行する。
【０１６６】
ステップＳ５０４では、インデックス表示ボタン２１５ｃの押下の検出が行われる。そして、インデックス表示ボタン２１５ｃの押下が検出された場合、ステップＳ５１０のインデックス表示画面サブルーチンへ移行する。インデックス表示ボタン２１５ｃの押下が検出されない場合、ステップＳ５０５へ移行する。
【０１６７】
ステップＳ５０５では、拡大表示ボタン２１５ｂの押下の検出が行われる。そして、拡大表示ボタン２１５ｂの押下が検出された場合、ステップＳ５１１の拡大表示画面グループサブルーチンへ移行する。拡大表示ボタン２１５ｂの押下が検出されない場合、ステップＳ５０６へ移行する。
【０１６８】
ステップＳ５０６では、表示切り替えボタン２１５ａの押下の検出が行われる。そして、表示切り替えボタン２１５ａの押下が検出された場合、ステップＳ５０７へ移行する。表示切り替えボタン２１５ａの押下が検出されない場合、ステップＳ５０３へ移行する。
【０１６９】
ステップＳ５０７では、表示切り替えボタン２１５ａが押下された時点で「インデックス表示画面」２８０においてカーソルＫＲで選択されていた画像の種類によって分岐処理が行われる。ガイド画像が選択されていた場合は、ステップＳ５０８のフォルダ内表示画面グループサブルーチンへ移行する。撮影画像が選択されていた場合には、ステップＳ５０９の比較表示画面グループサブルーチンへ移行する。
【０１７０】
なお、ステップＳ５０８〜Ｓ５１１のサブルーチン終了後は、動作フローはＳ５０３へ戻る。
【０１７１】
このような動作フローにより、デフォルト表示画面が表示されている状態で押下されたボタンの種類に応じて、表示画面の切り替えが行われる。さらに、表示切り替えボタン２１５ａが押下された場合は、そのときに選択されていた画像の種類によって、表示画面の切り替えが行われる。
【０１７２】
＜新規撮影モード＞
以下では、デジタルカメラ２の新規撮影モードについて説明する。新規撮影モードは、撮影画像フォルダを新規に作成してガイド撮影を行う動作モードである。新規撮影モードにおいては、新規に作成された撮影画像フォルダに取得された画像が格納される。
【０１７３】
デジタルカメラ２の新規撮影モードでは、ガイド撮影を行うために撮影に先立って使用するガイド画像を特定する必要がある。このため、新規撮影モードの動作フローは、ガイド撮影フォルダがユーザに選択されるステップ（Ｓ６０１）およびガイド画像がユーザに選択されるステップ（Ｓ６０３）を含む。また、取得した撮影画像を後に閲覧するためには、撮影画像が格納される新規に作成された撮影画像フォルダのフォルダ名をユーザは知る必要がある。このため、新規撮影モードの動作フローは新規に作成された撮影画像フォルダのフォルダ名をユーザに通知するステップ（Ｓ６０２）を有している。
【０１７４】
では、新規撮影モードの動作フローを図３２のフローチャートを参照しながら順を追って説明する。
【０１７５】
まず、デジタルカメラ２が新規撮影モードへ移行すると、新規撮影モードの動作フローが開始し、動作フローはステップＳ６０１へ移行する。
【０１７６】
ステップＳ６０１では、図３０に例示した「ガイド撮影フォルダ選択画面」３７０と同等の画面が液晶モニタ２１１に表示される。したがって、ユーザはステップＳ６０１において、ガイド撮影に使用するガイド画像が格納されたガイド撮影フォルダをデジタルカメラ２に認識させることができる。この処理が終了すると動作フローは次のステップＳ６０２へ移行する。
【０１７７】
ステップＳ６０２では取得する撮影画像が格納される撮影画像フォルダの作成が行われる。新規の撮影画像フォルダは、ステップＳ６０１で選択されたガイド撮影フォルダの子フォルダとしてガイド画像フォルダと同階層に作成される。撮影画像フォルダのフォルダ名は、既存の撮影画像フォルダとの重複を避けて決定される（ここでは、既存の撮影画像フォルダとして「撮影画像１１」フォルダが存在し、「撮影画像１２」フォルダが新規作成されたものとする）。また、撮影画像フォルダのタグには、同じ階層に存在するガイド画像フォルダのフォルダ名（「ガイド画像１」フォルダ）が記述される。さらに、「ガイド画像１」フォルダのタグには、当該「撮影画像１２」フォルダのフォルダ名が記述される。また、新規作成された撮影画像フォルダのフォルダ名は、メッセージとして液晶モニタ２１１に所定時間表示される。メッセージの一例を図３３に示す。図３３の「メッセージ画面」３９０では、「「撮影画像１２」」フォルダを作成しました」という文字列Ｍ４が表示され、作成された撮影画像フォルダのフォルダ名をユーザに認識させる。これらの処理が終了後、動作フローは次のステップ６０３へ移行する。
【０１７８】
ステップＳ６０３では、図３４に例示する「ガイド画像選択画面」４００が液晶モニタ２１１に表示される。ガイド画像選択画面４００には、「ガイド画像１」フォルダに格納されている複数のガイド画像（「ガイド画像１００１」，「ガイド画像１００２」および「ガイド画像１００３」）が液晶モニタ２１１に一覧表示される。表示されたガイド画像のいずれか１つには、カーソルＫＲが重畳表示されており、ユーザはカーソルキー２１２を用いてカーソルＫＲの位置を移動可能である。さらに、実行ボタン２１３を押下することにより、カーソルＫＲが重畳表示されたガイド画像をガイド撮影に使用するガイド画像としてデジタルカメラ２に認識させることができる。そして、これらの処理終了後、動作フローはステップＳ６０４へ移行する。
【０１７９】
ステップＳ６０４では、被写体のライブビューが液晶モニタ２１１に表示され、次のステップＳ６０５へ移行する。当該ライブビューは、図３５の「ライブビュー表示画面」４１０に示すように、撮影レンズを介して取得した被写体像が一定時間間隔で更新されながら液晶モニタ２１１全体に表示されるとともに、液晶モニタ２１１の一部領域Ｒ１２０にステップＳ６０３で選択されたガイド画像が表示されている。また、ライブビューは、領域Ｒ１２０においては、ガイド画像にマスクされている。このような表示により、ユーザはガイド画像の構図を見ながらフレーミングを行うことができるので、ガイド画像と略同一の構図の撮影画像を取得できる。なお、ガイド画像の表示方法はこの方法に制限されないことは言うまでもない。
【０１８０】
ステップ６０５では、レリーズボタン２０５による撮影指示の有無によって分岐処理が行われる。すなわち、ユーザによってレリーズボタン２０５が押下されたことが検出された場合、動作フローはステップＳ６０６へ移行する。また、レリーズボタン２０５の押下が検出されない場合、ステップＳ６０５へ移行する。これにより、レリーズボタン２０５の押下が検出されるまでステップＳ６０５が繰り返れることになる。
【０１８１】
ステップＳ６０６では、撮影処理を行う。すなわち、撮影レンズ２０２を介して得られた被写体像を画像に変換して、Ｅｘｉｆフォーマットのファイル形式でステップＳ６０２で新規作成した撮影画像フォルダ（「撮影画像１２」フォルダ）に格納する。なお、格納される撮影画像のファイル名は所定の方法で決定される（ここでは、「撮影画像１２０１」とする）。また、格納される撮影画像のタグには、ステップＳ６０３で選択されたガイド画像のパスおよびファイル名が記述される。さらに、ガイド画像（「ガイド画像１００１」）のタグにも、撮影画像のパスおよびファイル名が記述される。このようにガイド画像のタグをも更新するのは、先述したリンク関係の双方向性を確保するためであり、ガイド画像および撮影画像の両方から対比すべき画像を参照できるようにするためである。
【０１８２】
これらの処理が終了後、動作フローはステップＳ６０３へ移行し、再びガイド画像選択画面が表示される。
【０１８３】
＜追加撮影モード＞
追加撮影モードは、すでに作成されている全ガイド画像のリンク先の撮影画像が撮影画像フォルダに格納されていない場合に、欠落している撮影画像を取得する動作モードである。つまり、再生モードで説明した代理画像に対応する撮影画像を取得する動作モードである。
【０１８４】
追加撮影モードにおいても、新規撮影モードの場合と同様に、ガイド撮影を行うために撮影に先立って使用するガイド画像を特定する必要がある。しかし、追加撮影モードにおいては、使用するガイド画像の指定方法が新規撮影モードとは異なる。具体的には、再生モードにおいて代理画像ＰＲがカーソルＫＲで選択された状態で追加撮影モードに移行すると、デジタルカメラ２は当該代理画像に係るガイド画像を追加撮影モードのガイド撮影で使用するガイド画像と認識する。また、撮影で取得された撮影画像は、当該代理画像ＰＲに係る撮影画像フォルダに格納される。
【０１８５】
では、追加撮影モードの動作フローを図３６のフローチャートを参照しながら順を追って説明する。
【０１８６】
まず、追加撮影モードが開始すると、動作フローはステップＳ７０１へ移行する。
【０１８７】
ステップＳ７０１では、新規撮影モードのステップＳ６０４と同様のライブビューが液晶モニタ２１１に表示され、ステップＳ７０２へ移行する。ただし、表示されるガイド画像は、上述で説明したように、追加撮影モードに移行する前に再生モードでカーソルＫＲで選択されていた代理画像ＰＲに係るガイド画像である。
【０１８８】
ステップＳ７０２では、新規撮影モードのステップＳ６０５と同様の撮影指示の検出が行われる。撮影指示が検出された場合、ステップＳ７０３へ移行し、撮影指示が検出されない場合、ステップＳ７０２へ戻る。
【０１８９】
ステップＳ７０３では、新規撮影モードのステップＳ７０３と同様に撮影処理が行われる。ただし、撮影によって取得された画像は、代理画像ＰＲに係る撮影画像フォルダに格納される。そして、追加撮影モードの動作フローは終了する。
【０１９０】
以上の動作フローにより、デジタルカメラ２は、撮影フォルダ内の欠落撮影画像を取得可能である。これにより、ユーザは必要な構図の画像が欠落していることに気づいた場合でも、簡単な操作で必要な画像を補うことができる。
【０１９１】
＜動作モードの切り替え＞
デジタルカメラ２は、先述したように新規撮影モード，追加撮影モードの２つの撮影モードと、１つの再生モードとの合計３個の動作モードを備える。これらの動作モードは、モード切り替えボタン２０７を所定の方法で押下することにより切り替え可能である。以下では、これらの３つの動作モード間の切り替え方法を図３７を参照しながら説明する。
【０１９２】
まず、電源ＯＮ直後の動作モードである再生モード４２０に注目する。再生モード４２０において代理画像ＰＲがカーソルＫＲで選択されている状態で、モード切り替えボタン２０７を押下すると、ジタルカメラ２の動作モードは再生モード４２０から追加撮影モード４２１へ移行する。そして、当該代理画像ＰＲに係る撮影画像フォルダが、追加撮影モードで取得される画像が格納されるフォルダとして、当該代理画像ＰＲに係るガイド画像がガイド撮影に利用されるガイド画像としてデジタルカメラ２に認識される。
【０１９３】
また、再生モード４２０において代理画像ＰＲがカーソルＫＲで選択されている状態以外の状態で、モード切り替えボタン２０７を押下すると、デジタルカメラ２の動作モードは再生モード４２０から新規撮影モード４２２へ移行する。
【０１９４】
次に、新規撮影モード４２２に注目する。新規撮影モード４２２においてモード切り替えボタンが押下されると、動作モードは新規撮影モード４２２から再生モード４２０へ移行する。
【０１９５】
次に、追加撮影モード４２１に注目する。追加撮影モード４２１から再生モード４２０への移行は特別の操作を必要としない。すなわち、追加撮影モード４２１での撮影が終了すると（図３６のフローチャートが終了に至ると）自動的に動作モードは再生モード４２０へ戻る。
【０１９６】
次に、上述の動作を図３８のフローチャートを参照しながら説明する。
【０１９７】
まず、電源スイッチ２０６によって、デジタルカメラ２の電源が投入されると、動作フローはステップＳ８０１へ移行する。
【０１９８】
ステップＳ８０１では、デジタルカメラ２の動作モードをデフォルトの再生モード４２０に設定して、次のステップＳ８０２へ移行する。再生モード４２０では先述したようにメモリカード２０９に格納された画像を液晶モニタ２１１で閲覧可能である。
【０１９９】
ステップＳ８０２では、モード切り替えボタン２０７の押下の検出が行われる。押下が検出された場合、ステップＳ８０３へ移行する。検出されない場合、ステップＳ８０２へ戻り、押下が検出されるまで再生モード４２０が維持される。
【０２００】
ステップＳ８０３では、モード切り替えボタン２０７が押下られた時点で代理画像ＰＲが選択されていたかどうかによって分岐処理が行われる。代理画像ＰＲが選択されていた場合、ステップＳ８０４へ移行する。されていない場合ステップＳ８０５へ移行する。
【０２０１】
ステップＳ８０４では、デジタルカメラ２の動作モードが追加撮影モード４２１に変更される。そして、追加撮影処理終了後に、ステップＳ８０１へ戻る。
【０２０２】
ステップＳ８０５では、デジタルカメラ２の動作モードが新規撮影モード４２２に変更され、ステップＳ８０６へ移行する。
【０２０３】
ステップＳ８０７では、ステップＳ８０２と同様に、モード切り替えボタン２０７の押下の検出が行われる。押下が検出された場合、ステップＳ８０１へ移行する。検出されない場合、ステップＳ８０６へ戻り、押下が検出されるまで、新規撮影モード４２２が維持される。
【０２０４】
上述のモード切り替えボタン２０７の押下は、先述した新規撮影モードおよび再生モードの動作フロー中に常時監視されているので、動作フローがどの状態であっても動作モードの移行は行われる。すなわち、新規撮影モードおよび再生モードにおいて、モード切り替えボタン２０７が押下されると、新規撮影モードおよび再生モードの動作フローが中断され、動作モードの移行が行われる。
【０２０５】
以上のような動作モードの切り替えにより、ユーザはデジタルカメラ２の液晶モニタ２１１で画像を閲覧するとともに、新規ガイド撮影の実行や欠落している画像の補充が可能になる。
【０２０６】
＜＜第２実施形態＞＞
第２実施形態のデジタルカメラ３は、第１実施形態のデジタルカメラ２と異なり、ガイド撮影を行うように構成されてはいない。しかし、デジタルカメラ３の構成および動作はデジタルカメラ２と類似しているので、以下の説明ではデジタルカメラ２とデジタルカメラ３との相違点のみを説明し、共通部分の重複説明は省略する。
【０２０７】
＜デジタルカメラの外観構成＞
デジタルカメラ３は、デジタルカメラ２の表示設定ボタン群２１５のうち、表示切り替えボタン２１５ａが設けられ、拡大表示ボタン２１５ｂおよびインデックス表示ボタン２１５ｃが省略される点がデジタルカメラ２と異なる。また、表示切り替えボタン２１５ａによって、液晶モニタ２１１に表示される表示画面が切り替えられる点は、デジタルカメラ２とデジタルカメラ３とで共通であるが、具体的な切り替え対象となる表示画面は、後述するように、デジタルカメラ２とデジタルカメラ３とで異なる。
【０２０８】
＜デジタルカメラの内部構成＞
デジタルカメラ３の内部構成はデジタルカメラ２の内部構成と同様である。したがって、重複説明は省略する。
【０２０９】
＜メモリカードのフォルダ構造＞
デジタルカメラ３は、デジタルカメラ２と異なりガイド撮影を行わないので、ガイド画像と撮影画像とをフォルダで分類してメモリカード２０９に格納することは行われない。撮影された画像は、メモリカード２０９の所定のフォルダに格納されればよい。
【０２１０】
＜タグ＞
デジタルカメラ３は、デジタルカメラ２と異なりガイド撮影を行わないので、タグにはガイド撮影に係るリンク関係は記述されない。したがって、図１０で示したタグ２６１における、リンク先情報２６１ａは、デジタルカメラ３における撮影時にはタグに記述されない。しかし、ＡＦエリア情報２６１ｂは、デジタルカメラ３においても記述され、後述するように表示画面のレイアウトを決定するリンク関係として利用される。
【０２１１】
＜表示画面＞
デジタルカメラ３の表示画面には、「通常表示画面」、「ＡＦエリア表示画面」および「同時表示画面」がある。「通常表示画面」は、図３９に例示するように、メモリカード２０９に格納された画像を一覧表示する表示画面である。「ＡＦエリア表示画面」は、図４０に例示するように、当該画像のＡＦエリアを一覧表示する表示画面である。この表示方法は、タグ２６１に記述されたＡＦエリア情報２６１ｂをリンク情報として、一般化した画像表示装置１で説明した「応用レイアウト」を表示画面に適用したものである（フォルダ構造に関するリンク関係の対称性を利用）。つまり、撮影画像の全体と部分とに係る画像間にリンク関係が定義されており、当該リンク関係がフォルダ構造に関して等価であることを表示画面に反映させたものである。「同時表示画面」は、図４１に例示するように、液晶モニタ２１１の画像表示領域を２行３列のマトリクス状に分割して得られた、１行目に３枚の撮影画像、２行目に３枚のＡＦエリア画像を表示する表示画面である。この場合、液晶モニタ２１１の縦方向にリンク関係が反映されている。すなわち、一般化した画像表示装置１で説明した「基本レイアウト」を表示画面に適用したものである。なお、図３９および図４０においては、略同一の位置に表示されている画像間にリンク関係が存在している。
【０２１２】
これらの「通常表示画面」、「ＡＦエリア表示画面」および「同時表示画面」は、表示切り替えボタン２１５ａによって順次切り替え可能である。
【０２１３】
このような表示方法により、ユーザはＡＦエリア（ピントが合っている部分）のみを一覧表示で確認できるので、適切な画像が取得できているかどうかを容易に確認できる。また、全体を確認しながらＡＦエリアの詳細を確認可能である。
【０２１４】
＜その他＞
また、第２実施形態においては、ＡＦエリア情報をリンク情報としたが、画像の部分を特定する別の情報をリンク情報としてもよい。さらに、このリンク情報を画像ごとに変化させてもよく、ユーザが画像ごとに指定することも許容される。また、デジタルカメラに搭載された画像表示装置での表示ではなく、別のコンピュータシステム上で再生表示を行ってもよい。
【０２１５】
＜＜その他＞＞
上述した具体的実施の形態には以下の構成を有する発明が含まれている。
【０２１６】
［１］  請求項２に記載の画像表示装置において、
リンク関係が定義されたリンク画像が存在しないリンク切れ画像を特定するリンク切れ検出手段と、
リンク画像が存在しないことを示す代理画像を生成する生成手段と、
をさらに備え、
前記リンク切れ画像と前記代理画像とを、前記リンク画像群と同様のレイアウトで表示することを特徴とする画像表示装置。
【０２１７】
［１］の発明によれば、リンク画像の不存在を容易に認識可能であるので、画像表示装置の使用者は欠落している画像の存在を容易に知ることができる。
【０２１８】
［２］  ［１］に記載の画像表示装置において、
被写体に関する画像の取得を行う撮像手段と、
前記撮像手段による撮像を指示する指示手段と、
前記格納部に格納された画像を前記表示手段に表示させる再生モードと、前記撮像手段を用いて画像を取得する撮影モードとを切り替える切り替え手段と、
をさらに備え、
前記再生モードにおいて前記表示手段に前記代理画像が表示されている状態で、前記切り換え手段による再生モードから撮影モードへの移行に続いて前記指示手段による撮像指示が与えられると、取得された画像と前記リンク切れ画像との間にリンク関係が定義されることを特徴とする画像表示装置。
【０２１９】
［２］の発明によれば、画像表示装置の使用者は欠落している画像を煩雑な操作なしに取得可能である。
【０２２０】
［３］  請求項１に記載の画像表示装置において、
前記リンク関係が前記分類基準から独立していることを特徴とする画像表示装置。
【０２２１】
［３］の発明によれば、望まれる表示レイアウトを分類基準が反映していない場合であっても、複数の画像を所望のレイアウトで表示可能である。
【０２２２】
［４］  請求項１に記載の画像表示装置において、
前記リンク情報が画像と一体化されていることを特徴とする画像表示装置。
【０２２３】
［４］の発明によれば、少数のリンク画像群を表示する場合に、画像から分離されたリンク情報を参照する必要がないので、リンク関係を高速に特定可能である。
【０２２４】
［５］  請求項１に記載の画像表示装置において、
前記リンク情報が画像から分離されていることを特徴とする画像表示装置。
【０２２５】
［５］の発明によれば、多数のリンク関係が定義されたリンク画像群を表示する場合に、リンク情報を個別に参照する必要がないので、リンク関係を高速に特定可能である。また、リンク関係が変更されても画像には影響が及ばないので、リンク関係の更新が容易である。
【０２２６】
［６］  請求項１に記載の画像表示装置において、
前記格納部において前記画像データ群が階層型のフォルダ構造で格納されており、
前記分類が前記フォルダ構造中のフォルダによって行われることを特徴とする画像表示装置。
【０２２７】
［７］  請求項１に記載の画像表示装置において、
前記レイアウト決定手段が、前記レイアウトを前記リンク関係の対称性に基づいて決定することを特徴とする画像表示装置。
【０２２８】
［７］の発明によれば、複雑なリンク関係を定義することなく画像群を対比可能に表示可能であるので、リンク情報量が過大になることがない。
【０２２９】
［８］  請求項１に記載の画像表示装置において、
前記レイアウト決定手段が、前記レイアウトを複数のリンク関係に基づいて決定することを特徴とする画像表示装置。
【０２３０】
［８］の発明によれば、複雑なリンク関係を定義することなく画像群を対比可能に表示可能であるので、リンク情報量が過大になることがない。
【０２３１】
［９］  請求項１に記載の画像表示装置において、
前記リンク関係が、構図の見本となるガイド画像と、前記ガイド画像を見本として撮影されたガイド撮影画像との間に定義されることを特徴とする画像表示装置。
【０２３２】
［９］の発明によれば、略同一の構図の画像間にリンク関係が定義されるので、略同一の構図の複数の画像の対比が可能になる。
【０２３３】
［１０］  請求項３に記載の画像表示装置において、
前記部分画像が、前記画像の撮影時の合焦演算に使用された部分であることを特徴とする画像表示装置。
【０２３４】
［１１］  請求項４に記載の画像表示装置において、
前記第１リンク関係が、第２画像と第３画像との関係を定義するリンク関係であり、
前記第２リンク関係が、前記第２画像と第４画像との関係を定義するリンク関係であり、
前記第３画像と前記第４画像とが異なることを特徴とする画像表示装置。
【０２３５】
［１２］  請求項４に記載の画像表示装置において、
前記第１リンク関係が、第５画像と第６画像との関係を定義するリンク関係であり、
前記第２リンク関係が、第７画像と第８画像との関係を定義するリンク関係であり、
前記第５画像と前記第７画像とが同じ分類に属するとともに、前記第６画像と前記第８画像とが同じ分類に属することを特徴とする画像表示装置。
【０２３６】
［１３］  請求項４に記載の画像表示装置において、
前記リンク画像群に前後関係が定義されており、
前記更新が前記前後関係に基づいて行われることを特徴とする画像表示装置。
【０２３７】
［１４］  ［１３］に記載の画像表示装置において、
前記前後関係における前方向と後方向とに対応した複数の前記変更指示手段が設けられており、
複数の前記変更指示手段のうち有効な変更指示手段を示す情報が前記表示手段に表示されることを特徴とする画像表示装置。
【０２３８】
［１４］の発明によれば、閲覧したい画像を表示するために必要な操作を画像表示装置の使用者が容易に認識可能である。
【０２３９】
［１５］  画像表示装置であって、
所定の分類基準で分類された画像群と、前記画像群に含まれる複数の画像間の関係を定義するリンク関係の情報とを格納する格納部と、
前記画像群の中から、前記リンク関係が定義されたリンク画像群とリンク関係とを読み出す読み出し手段と、
前記リンク画像群を表示する表示手段と、
前記表示手段に設けられた画像表示領域を複数領域に分割する分割手段と、
前記リンク画像群に含まれる各々の画像を表示する前記複数領域中の領域を前記リンク関係に基づいて決定する表示場所決定手段と、
を備えることを特徴とする画像表示装置。
【０２４０】
［１５］の発明によれば、リンク画像群がリンク関係を反映した形で表示されるので、画像表示装置の使用者はリンク関係が定義された画像を煩雑な操作なしに対比可能であり、リンク関係の御認識も生じにくい。
【０２４１】
［１６］  ［１５］に記載の画像表示装置において、
前記画像表示領域が矩形であり、
前記分割手段が前記画像表示領域をマトリクス状に分割することを特徴とする画像表示装置。
【０２４２】
［１６］の発明によれば、矩形の画像表示領域の特定方向にリンク関係が反映されるので、画像表示装置の使用者は対比すべき画像をより的確に認識可能になる。
【０２４３】
【発明の効果】
以上説明したように、請求項１ないし請求項５の発明によれば、対比すべき画像を表示手段にレイアウトして同時表示できるので、ユーザは煩雑な操作を必要としないで対比すべき画像を対比可能であるとともに、対比すべき画像を誤認識することがない。
【０２４４】
また、請求項２の発明によれば、画像の分類が対比すべき画像の関係を反映していない場合であっても、当該画像を対比可能に表示可能である。
【０２４５】
また、請求項３の発明によれば、画像の特定部分のみを対比可能に表示できるので、ユーザは特に注目したい部分のみを対比可能である。
【０２４６】
また、請求項４の発明によれば、画像の表示に使用できる領域が大きくなるので、画像の閲覧が容易になる。
【図面の簡単な説明】
【図１】一般化した画像表示装置１の機能を説明するブロック図である。
【図２】ディスプレイ１３１の表示画面を示す図である。
【図３】ディスプレイ１３１の表示画面を示す図である。
【図４】ディスプレイ１３１の表示画面を示す図である。
【図５】デジタルカメラ２を斜め前方から見た斜視図である。
【図６】デジタルカメラ２の背面図である。
【図７】デジタルカメラ２の内部構成を示す機能ブロック図である。
【図８】メモリカード２０９におけるフォルダの階層構造を示す図である。
【図９】画像間のリンク関係を示すリンク関係図である。
【図１０】タグの具体的内容を模式的に示す図である。
【図１１】液晶モニタ２１１の表示画面を示す図である。
【図１２】液晶モニタ２１１の表示画面を示す図である。
【図１３】液晶モニタ２１１の表示画面を示す図である。
【図１４】液晶モニタ２１１の表示画面を示す図である。
【図１５】液晶モニタ２１１の表示画面を示す図である。
【図１６】液晶モニタ２１１の表示画面を示す図である。
【図１７】液晶モニタ２１１の表示画面を示す図である。
【図１８】液晶モニタ２１１の表示画面を示す図である。
【図１９】液晶モニタ２１１の表示画面を示す図である。
【図２０】液晶モニタ２１１の表示画面を示す図である。
【図２１】液晶モニタ２１１の表示画面を示す図である。
【図２２】液晶モニタ２１１の表示画面を示す図である。
【図２３】液晶モニタ２１１の表示画面を示す図である。
【図２４】表示画面が切り替わる様子を模式的に示す図である。
【図２５】拡大表示画面グループサブルーチンを定義するフローチャートである。
【図２６】フォルダ内表示画面グループサブルーチンを定義するフローチャートである。
【図２７】比較表示画面グループサブルーチンを定義するフローチャートである。
【図２８】インデックス表示画面サブルーチンを定義するフローチャートである。
【図２９】再生モードの動作フロー全体を説明するフローチャートである。
【図３０】液晶モニタ２１１の表示画面を示す図である。
【図３１】液晶モニタ２１１の表示画面を示す図である。
【図３２】新規撮影モードの動作フローを説明するフローチャートである。
【図３３】液晶モニタ２１１の表示画面を示す図である。
【図３４】液晶モニタ２１１の表示画面を示す図である。
【図３５】液晶モニタ２１１の表示画面を示す図である。
【図３６】追加撮影モードの動作を説明するフローチャートである。
【図３７】動作モードの切り替え方法を説明する図である。
【図３８】動作モードの切り替え動作を説明するフローチャートである。
【図３９】液晶モニタ２１１の表示画面を示す図である。
【図４０】液晶モニタ２１１の表示画面を示す図である。
【図４１】液晶モニタ２１１の表示画面を示す図である。
【符号の説明】
２  デジタルカメラ
２０１  ＣＣＤ
２０２  撮影レンズ
２０３  ファインダ窓
２０４  フラッシュ
２０２  撮影レンズ
２０５  レリーズボタン
２０６  電源スイッチ
２０７  モード切り替えボタン
２０８  液晶パネル
２０９  メモリカード
２１０  挿入口
２１１  液晶モニタ
２１２  カーソルキー
２１３  実行ボタン
２１４  ズームキー
２１５  表示設定ボタン群
２１５ａ  表示切り替えボタン
２１５ｂ  拡大表示ボタン
２１５ｃ  インデックス表示ボタン
２６０  ファイル
２６１  タグ
２６１ａ  リンク先情報
２６１ｂ  ＡＦエリア情報
２６２  画像本体部
ＫＲ  カーソル
Ｍ１，Ｍ２，Ｍ４  文字列
ＩＣＮ１〜ＩＣＮ４  アイコン
【図１】
2004289425.tif 000003
【図２】
2004289425.tif 000004
【図３】
2004289425.tif 000005
【図４】
2004289425.tif 000006
【図５】
2004289425.tif 000007
【図６】
2004289425.tif 000008
【図７】
2004289425.tif 000009
【図８】
2004289425.tif 000010
【図９】
2004289425.tif 000011
【図１０】
2004289425.tif 000012
【図１１】
2004289425.tif 000013
【図１２】
2004289425.tif 000014
【図１３】
2004289425.tif 000015
【図１４】
2004289425.tif 000016
【図１５】
2004289425.tif 000017
【図１６】
2004289425.tif 000018
【図１７】
2004289425.tif 000019
【図１８】
2004289425.tif 000020
【図１９】
2004289425.tif 000021
【図２０】
2004289425.tif 000022
【図２１】
2004289425.tif 000023
【図２２】
2004289425.tif 000024
【図２３】
2004289425.tif 000025
【図２４】
2004289425.tif 000026
【図２５】
2004289425.tif 000027
【図２６】
2004289425.tif 000028
【図２７】
2004289425.tif 000029
【図２８】
2004289425.tif 000030
【図２９】
2004289425.tif 000031
【図３０】
2004289425.tif 000032
【図３１】
2004289425.tif 000033
【図３２】
2004289425.tif 000034
【図３３】
2004289425.tif 000035
【図３４】
2004289425.tif 000036
【図３５】
2004289425.tif 000037
【図３６】
2004289425.tif 000038
【図３７】
2004289425.tif 000039
【図３８】
2004289425.tif 000040
【図３９】
2004289425.tif 000041
【図４０】
2004289425.tif 000042
【図４１】
2004289425.tif 000043